(57)【要約】      （修正有）【課題】動的ワークフロー優先順位付けおよびタスキングを促進する方法およびシステムを提供する。【解決手段】各計測インターフェースデバイスは、物的資産から計測データを検出するように構成されている計測検知デバイスと通信する。コンピュータ実装システムは、携帯コンピューティングデバイスを含む。携帯コンピューティングデバイスは、計測インターフェースデバイスから計測データセットを受信し８１０、計測データセットおよび資産データモデルを処理して処理済み計測データセットにし８２０、処理済み計測データセットに基づいて、計測相違が判定されると、資産データモデルを再較正してステップ８１０に戻り８３０、計測相違がないと判定されると、計測データセットおよび資産データモデルを少なくとも１人の報告受信者に報告する８４０、ように構成されている。【選択図】図８
2015076098.tif 000002
【特許請求の範囲】
【請求項１】
複数の計測インターフェースデバイスであって、各前記計測インターフェースデバイスは、少なくとも１つの計測センサ通信インターフェースと、少なくとも１つの第１のワイヤレス通信インターフェースとを備える、プリント基板（ＰＣＢ）を備え、各前記計測インターフェースデバイスは、前記計測センサ通信インターフェースを介して計測検知デバイスと通信し、各前記計測検知デバイスは、物的資産から計測データを検出するように構成されており、各前記計測インターフェースデバイスは、前記計測検知デバイスから前記計測データを受信するように構成されている、複数の計測インターフェースデバイスと、
携帯コンピューティングデバイスであって、前記携帯コンピューティングデバイスは、メモリデバイスと、前記メモリデバイスに結合されているプロセッサとを備え、前記メモリデバイスおよび前記プロセッサに結合されている第２のワイヤレス通信インターフェースをさらに備え、前記第２のワイヤレス通信インターフェースは、前記第１のワイヤレス通信インターフェースを介して前記複数の計測インターフェースデバイスと通信するように構成されている、携帯コンピューティングデバイスと
を備えるコンピュータ実装システムであって、前記携帯コンピューティングデバイスは、
ａ）実質的に、一時点における前記物的資産に関連付けられるデータを表す計測データセットを受信し、
ｂ）前記プロセッサによって、前記計測データセットおよび資産データモデルを処理して、実質的に、前記計測検知デバイスに関連付けられ、前記計測インターフェースデバイスにさらに関連付けられる前記物的資産のモデルを表す処理済み計測データセットにし、
ｃ）前記処理済み計測データセットに基づいて、計測相違が判定されると、前記資産データモデルを再較正してステップ（ａ）に戻り、
ｄ）計測相違がないと判定されると、前記計測データセットおよび前記資産モデルを少なくとも１人の報告受信者に報告するように構成されている、コンピュータ実装システム。
【請求項２】
前記計測インターフェースデバイスは、
前記携帯コンピューティングデバイス、第２の携帯コンピューティングデバイス、サーバコンピューティングデバイス、およびネットワーク接続記憶デバイスの少なくとも１つから前記資産データモデルを取り出すように構成されている、請求項１記載のコンピュータ実装システム。
【請求項３】
前記計測インターフェースデバイスは、前記資産データモデルを再較正するようにさらに構成されており、
少なくとも１人の資産データモデル評価者からモデル入力を要求し、
前記少なくとも１人の資産データモデル評価者からのモデル入力を受信し、
前記モデル入力を使用して前記資産データモデルを更新するようにさらに構成されている、請求項１記載のコンピュータ実装システム。
【請求項４】
前記計測インターフェースデバイスは、前記資産データモデルを再較正するようにさらに構成されており、
前記処理済み計測データが、前記物的資産の資産特性が変化していることを示すと判定し、
前記処理済み計測データに基づいて、前記物的資産に関連付けられる現在の特性を判定し、
前記現在の特性に基づいてモデル補正を決定し、
前記モデル補正を使用して前記資産データモデルを較正するようにさらに構成されている、請求項１記載のコンピュータ実装システム。
【請求項５】
前記計測インターフェースデバイスは、
前記資産データモデルに基づいて、複数の結果シナリオに関連付けられる複数の結果確率を求めるように構成されており、前記複数の結果シナリオは前記物的資産に関連付けられる、請求項１記載のコンピュータ実装システム。
【請求項６】
前記計測インターフェースデバイスは、
前記資産データモデルおよび前記計測データセットに基づいて、前記物的資産に関連付けられる少なくとも１つの推奨される次のステップを決定し、ここで、前記少なくとも１つの推奨される次のステップは、前記物的資産の点検に関連する、提案される一連の行動を表し、
前記少なくとも１つの推奨される次のステップを、前記少なくとも１人の報告受信者に報告するように構成されている、請求項１記載のコンピュータ実装システム。
【請求項７】
各前記携帯コンピューティングデバイスは、
前記携帯コンピューティングデバイスに関連付けられる少なくとも１つのネットワーク接続コンピューティングリソースを使用して、前記計測データセットおよび前記資産データモデルを処理して前記処理済み計測データセットにするように構成されている、請求項１記載のコンピュータ実装システム。
【請求項８】
各前記携帯コンピューティングデバイスは、
前記計測データセットを処理して補助計測データセットから主計測データセットにするように構成されており、前記補助計測データセットは、前記物的資産の物理状態を表さない、前記物的資産に関連付けられるデータの第２のセットを表し、前記主計測データセットは、前記物的資産の前記物理状態を表す、前記物的資産に関連付けられるデータの第１のセットを表す、請求項１記載のコンピュータ実装システム。
【請求項９】
各前記携帯デバイスは、発見的アルゴリズムおよび専門ユーザ入力の少なくとも１つを適用することによって、前記計測データを処理するように構成されている、請求項１記載のコンピュータ実装システム。
【請求項１０】
携帯コンピューティングデバイスによって実行されるコンピュータベースの方法であって、前記携帯コンピューティングデバイスは、メモリデバイスと、前記メモリデバイスに結合されているプロセッサとを含み、前記メモリデバイスおよび前記プロセッサに結合されている第２のワイヤレス通信インターフェースをさらに含み、前記第２のワイヤレス通信インターフェースは、複数の計測インターフェースデバイスと通信するように構成されており、前記複数の計測インターフェースデバイスは複数の計測検知デバイスと通信し、前記計測検知デバイスは物的資産から計測データを検出するように構成されており、前記方法は、
ａ）計測データセットを受信するステップであって、前記計測データセットは、実質的に、一時点における前記物的資産に関連付けられるデータを表す、受信するステップと、
ｂ）前記計測データセットおよび資産データモデルを処理して処理済み計測データセットにするステップであって、前記資産データモデルは実質的に、前記計測検知デバイスに関連付けられ、前記計測インターフェースデバイスにさらに関連付けられる前記物的資産のモデルを表す、処理するステップと、
ｃ）前記処理済み計測データセットに基づいて、計測相違が判定されると、前記資産データモデルを再較正してステップ（ａ）に戻るステップと、
ｄ）計測相違がないと判定されると、前記計測データセットおよび前記資産モデルを少なくとも１人の報告受信者に報告するステップとを含む、コンピュータベースの方法。
【請求項１１】
前記携帯コンピューティングデバイス、第２の形態コンピューティングデバイス、サーバコンピューティングデバイス、およびネットワーク接続記憶デバイスの少なくとも１つから前記資産データモデルを取り出すステップをさらに含む、請求項１０記載のコンピュータベースの方法。
【請求項１２】
少なくとも１人の資産データモデル評価者からモデル入力を要求するステップと、
前記少なくとも１人の資産データモデル評価者からのモデル入力を受信するステップと、
前記モデル入力を使用して前記資産データモデルを更新するステップと
をさらに含む、請求項１０記載のコンピュータベースの方法。
【請求項１３】
前記処理済み計測データが、前記物的資産の資産特性が変化していることを示すと判定するステップと、
前記処理済み計測データに基づいて、前記物的資産に関連付けられる現在の特性を判定するステップと、
前記現在の特性に基づいてモデル補正を決定するステップと、
前記モデル補正を使用して前記資産データモデルを較正するステップと
をさらに含む、請求項１０記載のコンピュータベースの方法。
【請求項１４】
前記資産データモデルに基づいて、複数の結果シナリオに関連付けられる複数の結果確率を求めるステップであって、前記複数の結果シナリオは前記物的資産に関連付けられる、求めるステップをさらに含む、請求項１０記載のコンピュータベースの方法。
【請求項１５】
前記資産データモデルおよび前記計測データセットに基づいて、前記物的資産に関連付けられる少なくとも１つの推奨される次のステップを決定するステップであって、前記少なくとも１つの推奨される次のステップは、前記物的資産の点検に関連する、提案される一連の行動を表す、決定するステップと、
前記少なくとも１つの推奨される次のステップを、前記少なくとも１人の報告受信者に報告するステップと
をさらに含む、請求項１０記載のコンピュータベースの方法。
【請求項１６】
前記携帯コンピューティングデバイスに関連付けられる少なくとも１つのネットワーク接続コンピューティングリソースを使用して、前記計測データセットおよび前記資産データモデルを処理して前記処理済み計測データセットにするステップをさらに含む、請求項１０記載のコンピュータベースの方法。
【請求項１７】
前記計測データセットを処理して補助計測データセットから主計測データセットにするステップであって、前記補助計測データセットは、前記物的資産の物理状態を表さない、前記物的資産に関連付けられるデータの第２のセットを表し、前記主計測データセットは、前記物的資産の前記物理状態を表す、前記物的資産に関連付けられるデータの第１のセットを表す、処理するステップをさらに含む、請求項１０記載のコンピュータベースの方法。
【請求項１８】
発見的アルゴリズムおよび専門ユーザ入力の少なくとも１つを適用することによって、前記計測データを処理するステップをさらに含む、請求項１０記載のコンピュータベースの方法。
【請求項１９】
プロセッサ実行可能命令を包含されているコンピュータ可読記憶デバイスであって、携帯コンピューティングデバイスが、少なくとも１つのプロセッサと、前記プロセッサに結合されているメモリデバイスとを含み、前記携帯コンピューティングデバイスは、前記メモリデバイスおよび前記プロセッサに結合されている第２のワイヤレス通信インターフェースをさらに含み、前記第２のワイヤレス通信インターフェースは、複数の計測インターフェースデバイスと通信するように構成されており、前記複数の計測インターフェースデバイスは複数の計測検知デバイスと通信し、前記計測検知デバイスは物的資産から計測データを検出するように構成されており、プロセッサ実行可能命令は、前記携帯コンピューティングデバイスに、
ａ）計測データセットを受信させ、ここで、前記計測データセットは、実質的に、一時点における前記物的資産に関連付けられるデータを表し、
ｂ）前記計測データセットおよび資産データモデルを処理して処理済み計測データセットにさせ、ここで、前記資産データモデルは実質的に、前記計測検知デバイスに関連付けられ、前記計測インターフェースデバイスにさらに関連付けられる前記物的資産のモデルを表し、
ｃ）前記処理済み計測データセットに基づいて、計測相違が判定されると、前記資産データモデルを再較正させてステップ（ａ）に戻らせ、
ｄ）計測相違がないと判定されると、前記計測データセットおよび前記資産モデルを少なくとも１人の報告受信者に報告させる、コンピュータ可読記憶デバイス。
【請求項２０】
前記プロセッサ実行可能命令は、前記コンピューティングデバイスに、
前記携帯コンピューティングデバイス、第２の形態コンピューティングデバイス、サーバコンピューティングデバイス、およびネットワーク接続記憶デバイスの少なくとも１つから前記資産データモデルを取り出させる、請求項１９記載のコンピュータ可読記憶デバイス。
【請求項２１】
前記プロセッサ実行可能命令は、前記コンピューティングデバイスに、
少なくとも１人の資産データモデル評価者からモデル入力を要求させ、
前記少なくとも１人の資産データモデル評価者からのモデル入力を受信させ、
前記モデル入力を使用して前記資産データモデルを更新させる、請求項１９記載のコンピュータ可読記憶デバイス。
【請求項２２】
前記プロセッサ実行可能命令は、前記コンピューティングデバイスに、
前記処理済み計測データが、前記物的資産の資産特性が変化していることを示すと判定させ、
前記処理済み計測データに基づいて、前記物的資産に関連付けられる現在の特性を判定させ、
前記現在の特性に基づいてモデル補正を決定させ、
前記モデル補正を使用して前記資産データモデルを較正させる、請求項１９記載のコンピュータ可読記憶デバイス。
【請求項２３】
前記プロセッサ実行可能命令は、前記コンピューティングデバイスに、
前記資産データモデルに基づいて、複数の結果シナリオに関連付けられる複数の結果確率を求めさせ、前記複数の結果シナリオは前記物的資産に関連付けられる、請求項１９記載のコンピュータ可読記憶デバイス。
【請求項２４】
前記プロセッサ実行可能命令は、前記コンピューティングデバイスに、
前記資産データモデルおよび前記計測データセットに基づいて、前記物的資産に関連付けられる少なくとも１つの推奨される次のステップを決定させ、ここで、前記少なくとも１つの推奨される次のステップは、前記物的資産の点検に関連する、提案される一連の行動を表し、
前記少なくとも１つの推奨される次のステップを、前記少なくとも１人の報告受信者に報告させる、請求項１９記載のコンピュータ可読記憶デバイス。
【請求項２５】
前記プロセッサ実行可能命令は、前記コンピューティングデバイスに、
前記携帯コンピューティングデバイスに関連付けられる少なくとも１つのネットワーク接続コンピューティングリソースを使用して、前記計測データセットおよび前記資産データモデルを処理させて前記処理済み計測データセットにさせる、請求項１９記載のコンピュータ可読記憶デバイス。
【発明の詳細な説明】
【技術分野】
【０００１】
本開示の分野は、一般的に、動的ワークフロー優先順位付けおよびタスキングを促進するための、資産監視のために汎用ワイヤレスプラットフォームを使用するのに使用される装置、コンピュータ実装システム、およびコンピュータ実施方法に関する。
【背景技術】
【０００２】
多くの公知の物的資産および物理的システムは、資産監視を必要とする。資産監視は、たとえば、資産および資産構成要素、資産の物理的位置または方向、および資産の存在または物理的利用可能性に関連する測定値を含む資産データを特定することによって、資産ステータスを判定することを含み得る。信頼性のある資産データは、計測検査を使用して取得することができる。本明細書において使用される場合、「計測検査」とは、資産データ、特に、物理的測定値を取得するためにデバイスまたはツールを使用することを指す。資産データは、たとえば、限定ではなく、距離、体積、圧力、および測度を含む物理的測定値を記述し得る。代替的に、資産データは、物理的測定値を求めるために分析または外挿を必要とする資産特性を記述する場合がある。たとえば、資産データは、資産に関連する複数の地理的座標を含む光学データである場合がある。光学データは有用な物理的測定値として直接認識できない場合があるが、計算および外挿によって、物理的測定値を得ることができる。計測検査は、計測検査デバイスを使用することを含む場合がある。計測検査デバイスは、たとえば、計測器、センサ、およびノギスを含む、計測検査を促進することが可能な任意のデバイスを含み得る。いくつかの公知の計測検査デバイスは、資産データをユーザディスプレイ（たとえば、液晶ディスプレイ）に表示し、資産データをメモリデバイスに記憶することが可能なコンピューティングデバイスを含み得る。計測検査デバイスに属するいくつかのコンピューティングデバイスは、それに加えて、資産データを他のコンピューティングデバイスに送信することが可能である場合がある。資産データを他のコンピューティングデバイスに送信することが可能であるコンピューティングデバイスは、資産データを送信するために様々な通信プロトコルを利用することができる。
【０００３】
多くの公知の物理システムおよび物的資産は、多数の資産データ読み値を計測することによって監視および検査される。そのような監視および検査は時間がかかる場合がある。加えて、そのような物理システムを適切に監視および検査するには、現場検査人が直接利用することができない計算能力が必要になる場合がある。
【発明の概要】
【課題を解決するための手段】
【０００４】
一態様において、コンピュータ実装システムが提供される。コンピュータ実装システムは、複数の計測インターフェースデバイスを含む。各計測インターフェースデバイスは、少なくとも１つの計測センサ通信インターフェースと、少なくとも１つの第１のワイヤレス通信インターフェースとを含む、回路カードアセンブリ（ＣＣＡ）とも称されるプリント基板（ＰＣＢ）を含む。各計測インターフェースデバイスは、計測センサ通信インターフェースを介して計測検知デバイスと通信する。各計測検知デバイスは、物的資産から計測データを検出するように構成されている。各計測インターフェースデバイスは、計測検知デバイスから計測データを受信するように構成されている。コンピュータ実装システムは、携帯コンピューティングデバイスをも含む。携帯コンピューティングデバイスは、メモリデバイスと、メモリデバイスに結合されているプロセッサとを含み、メモリデバイスおよびプロセッサに結合されている第２のワイヤレス通信インターフェースをさらに含む。第２のワイヤレス通信インターフェースは、第１のワイヤレス通信インターフェースを介して計測インターフェースデバイスと通信するように構成されている。携帯コンピューティングデバイスは、ａ）計測データセットを受信し、ここで、計測データセットは実質的に、一時点における物的資産に関連付けられるデータを表し、ｂ）プロセッサによって計測データセットおよび資産データモデルを処理して処理済み計測データセットにし、ここで、資産データモデルは実質的に、計測検知デバイスに関連し、計測インターフェースデバイスにさらに関連する物的資産のモデルを表し、ｃ）処理済み計測データセットに基づいて、計測相違が判定されると、資産データモデルを再較正してステップ（ａ）に戻り、ｄ）計測相違がないと判定されると、計測データセットおよび資産データモデルを少なくとも１人の報告受信者に報告するように構成されている。
【０００５】
さらなる態様において、コンピュータベースの方法が提供される。コンピュータベースの方法は、携帯コンピューティングデバイスによって実行される。モバイルコンピューティングデバイスは、メモリデバイスと、メモリデバイスに結合されているプロセッサとを含み、メモリデバイスおよびプロセッサに結合されている第２のワイヤレス通信インターフェースをさらに含む。第２のワイヤレス通信インターフェースは、複数の計測インターフェースデバイスと通信するように構成されている。複数の計測インターフェースデバイスは、複数の計測検知デバイスと通信する。計測検知デバイスは、物的資産から計測データを検出するように構成されている。方法は、ａ）計測データセットを受信することであってで、計測データセットは実質的に、一時点における物的資産に関連付けられるデータを表す、受信することと、ｂ）計測データセットおよび資産データモデルを処理して処理済み計測データセットにすることであって、資産データモデルは実質的に、計測検知デバイスに関連し、計測インターフェースデバイスにさらに関連する物的資産のモデルを表す、処理することと、ｃ）処理済み計測データセットに基づいて、計測相違が判定されると、資産データモデルを再較正してステップ（ａ）に戻ることと、ｄ）計測相違がないと判定されると、計測データセットおよび資産データモデルを少なくとも１人の報告受信者に報告することとを含む。
【０００６】
別の態様において、コンピュータ可読記憶デバイスが提供される。コンピュータ可読記憶デバイスには、プロセッサ実行可能命令が包含されている。コンピュータ可読記憶デバイスは、携帯コンピューティングデバイスによって読み出されてもよい命令を含む。携帯コンピューティングデバイスは、少なくとも１つのプロセッサと、プロセッサに結合されているメモリデバイスとを含む。携帯コンピューティングデバイスは、メモリデバイスおよびプロセッサに結合されている第２のワイヤレス通信インターフェースをさらに含む。第２のワイヤレス通信インターフェースは、複数の計測インターフェースデバイスと通信するように構成されている。複数の計測インターフェースデバイスは、複数の計測検知デバイスと通信する。計測検知デバイスは、物的資産から計測データを検出するように構成されている。プロセッサ実行可能命令は、携帯コンピューティングデバイスに、ａ）計測データセットを受信させ、ここで、計測データセットは実質的に、一時点における物的資産に関連付けられるデータを表し、ｂ）プロセッサによって計測データセットおよび資産データモデルを処理させて処理済み計測データセットにするようにし、ここで、資産データモデルは実質的に、計測検知デバイスに関連し、計測インターフェースデバイスにさらに関連する物的資産のモデルを表し、ｃ）処理済み計測データセットに基づいて、計測相違が判定されると、資産データモデルを再較正してステップ（ａ）に戻らせ、ｄ）計測相違がないと判定されると、計測データセットおよび資産データモデルを少なくとも１人の報告受信者に報告させる。
【０００７】
これらのおよび他の特徴、態様、および利点は、添付の図面を参照して以下の詳細な説明を読むとよりよく理解されることになる。図面において、同様の符号は図面全体を通じて同様の部分を表す。
【図面の簡単な説明】
【０００８】
【図１Ａ】本開示に記載されている、計測検知デバイスを使用することなく、さらに汎用ワイヤレスプラットフォームを使用することなく、現場検査人によって監視されている物的資産を含む環境を示す図である。
【図１Ｂ】本開示に記載されている、計測検知デバイスを使用するが、汎用ワイヤレスプラットフォームは使用することなく、現場検査人によって監視されている物的資産を含む環境を示す図である。
【図１Ｃ】本開示に記載されている、計測検知デバイスを使用し、汎用ワイヤレスプラットフォームを使用して、現場検査人によって監視されている物的資産を含む環境を示す図である。
【図２】図１Ｃに示す例示的な環境の監視を促進するために、汎用ワイヤレスプラットフォームを作成するのに使用するための例示的な計測インターフェースデバイスのブロック図である。
【図３Ａ】汎用ワイヤレスプラットフォームを作成するのに使用される図２に示す計測インターフェースデバイスを含む例示的なフォブデバイスの図である。
【図３Ｂ】汎用ワイヤレスプラットフォームを作成するのに使用される図２に示す計測インターフェースデバイスを含む例示的なハイブリッドデバイスの図である。
【図４】汎用ワイヤレスプラットフォームを通じて図２に示す計測インターフェースデバイスと対話することによって、資産を監視するのに使用されるコンピューティングデバイスのブロック図。
【図５】汎用ワイヤレスプラットフォームを使用して計測インターフェースデバイス、より詳細には図２に示す計測インターフェースデバイスと対話する、図４に示すモバイルコンピューティングデバイスによって実装されるシステムの例示的なプロセスフローの図である。
【図６】効率的な資産データ収集、資産監視、および資産検査を促進するために、汎用ワイヤレスプラットフォーム、より詳細には図２に示す計測インターフェースデバイスを使用して計測検知デバイスと対話する、図４に示すモバイルコンピューティングデバイスによって実装されるシステムの例示的なプロセスフローの図である。
【図７】汎用ワイヤレスプラットフォームを使用して図２に示す計測インターフェースデバイスと通信する、図４に示すモバイルコンピューティングデバイスによって実施される例示的な方法の図である。
【図８】汎用ワイヤレスプラットフォームを使用して図２に示す計測インターフェースデバイスおよび複数のクラウドベースのリソースと通信する、図４に示すモバイルコンピューティングデバイスによって実施される例示的な方法の図である。
【図９】図５および図６に示す環境において使用されてもよい１つまたは複数の例示的なコンピューティングデバイスの構成要素の図である。
【発明を実施するための形態】
【０００９】
別途指示しない限り、本明細書において提供されている図面は、本開示の実施形態の特徴を示すように意図されている。これらの特徴は、本開示の１つまたは複数の実施形態を備える多種多様なシステムに適用可能であると考えられる。そのため、図面は、本明細書に開示されている実施形態を実践するのに必要とされることになる、当業者に公知のすべての従来の特徴を含むようには意図されていない。
【００１０】
以下の明細書および特許請求の範囲においていくつかの用語を参照することになるが、これらは以下の意味を有するように定義されるものとする。
【００１１】
単数形「１つの」（“ａ，”  “ａｎ”）および「その」（“ｔｈｅ”）は、別途文脈が明確に指示していない限り、複数の指示対象を含む。
【００１２】
「任意選択の」（“Ｏｐｔｉｏｎａｌ”）または「任意選択的に」（“ｏｐｔｉｏｎａｌｌｙ”）は、後続して記載される事象または状況が起こる場合もあるし、または起こらない場合もあること、および、その記載がその事象が起こる場合と起こらない場合とを含むことを意味する。
【００１３】
本明細書において使用される場合、「持続性コンピュータ可読媒体」（“ｎｏｎ−ｔｒａｎｓｉｔｏｒｙ  ｃｏｍｐｕｔｅｒ−ｒｅａｄａｂｌｅ  ｍｅｄｉａ”）という用語は、コンピュータ可読命令、データ構造体、プログラムモジュールおよびサブモジュール、または他のデータを任意のデバイスに短期記憶および長期記憶するための任意の方法または技術において実装される、任意の有形のコンピュータベースのデバイスを表すように意図されている。それゆえ、本明細書に記載されている方法は、限定ではなく、記憶デバイスおよび／またはメモリデバイスを含む有形持続性コンピュータ可読媒体に包含される実行可能命令として符号化されてもよい。そのような命令は、プロセッサによって実行されると、プロセッサに、本明細書に記載されている方法の少なくとも一部分を実行させる。さらに、本明細書において使用される場合、「持続性コンピュータ可読媒体」という用語は、限定ではなく、ファームウェア、物理および仮想ストレージ、ＣＤ−ＲＯＭ、ＤＶＤのような揮発性および不揮発性媒体、ならびに取り外し可能および取り外し不能媒体を限定ではなく含む持続性コンピュータ記憶デバイスを含むすべての有形コンピュータ可読媒体、ならびに、ネットワークまたはインターネットのような任意の他のデジタルソース、ならびにまだ開発されていないデジタル手段を含み、唯一の例外は一時的な伝播信号である。
【００１４】
本明細書において使用される場合、「資産データ」（“ａｓｓｅｔ  ｄａｔａ”）という用語および関連用語は、少なくとも物的資産の少なくとも１つの物理状態に関連する任意のデータを指す。資産データは、限定ではなく、距離の物理測定値、体積の物理測定値、圧力の物理測定値、温度の物理測定値、位置情報、電流の物理測定値、および、計測検知デバイスを使用して検出することができる任意の他の物理測定値を含んでもよい。物理測定値を含む資産データを「主資産データ」（“ｐｒｉｍａｒｙ  ａｓｓｅｔ  ｄａｔａ”）と称する場合がある。代替的に、資産データは、限定ではなく、物理測定値を求めるのに使用される場合がある「補助資産データ」（“ｓｅｃｏｎｄａｒｙ  ａｓｓｅｔ  ｄａｔａ”）を含んでもよい。たとえば、ボアスコープによって生成される光学データが、資産の物理的特性を求めるために処理することができる一連の３次元座標として現れ得る。しかしながら、そのような光学データは、そのような処理が行われない限り、上記の意味での「主資産データ」を表さない場合がある。本明細書において使用される場合、物理測定値を作成するのに使用されるこの形態の補助資産データは、別途記載しない限り、物理測定値を含む主資産データと交換可能に使用されてもよい。
【００１５】
本明細書において使用される場合、「計測検知デバイス」（“ｍｅｔｒｏｌｏｇｉｃａｌ  ｓｅｎｓｉｎｇ  ｄｅｖｉｃｅ”）という用語および関連用語は、資産データを測定または他の様態で判定することが可能なツール、デバイス、および他の装置を指す。計測検知デバイスは手動であってもよく、または電子式であってもよいが、本明細書に記載されているシステムおよび方法とともに使用される計測検知デバイスは、資産データをコンピューティングデバイスに送信することが可能である。いくつかの例において、計測検知デバイスは、ディスプレイ、プロセッサ、およびメモリデバイスを含んでもよい。加えて、計測検知デバイスは、アナログデータおよびデジタルデータを生成してもよい。少なくともいくつかの例において、計測検知デバイスは、復号して物理測定値データ（または上述したような主資産データ）にするのに計算を必要とする複雑なデータを生成してもよい。
【００１６】
本明細書において使用される場合、「ソフトウェア」（“ｓｏｆｔｗａｒｅ”）および「ファームウェア」（“ｆｉｒｍｗａｒｅ”）という用語は交換可能であり、限定ではなく、モバイルデバイス、クラスタ、パーソナルコンピュータ、ワークステーション、クライアント、およびサーバを含むデバイスによって実行するためにメモリ内に記憶されている任意のコンピュータプログラムを含む。
【００１７】
本明細書において使用される場合、「コンピュータ」（“ｃｏｍｐｕｔｅｒ”）という用語およびその関連用語、たとえば、「コンピューティングデバイス」（“ｃｏｍｐｕｔｉｎｇ  ｄｅｖｉｃｅ”）は、当該技術分野においてコンピュータと称される集積回路に限定されず、広く、マイクロコントローラ、マイクロコンピュータ、プログラマブル論理制御装置（ＰＬＣ）、特定用途向け集積回路、および他のプログラム可能回路を指し、これらの用語は本明細書において交換可能に使用されている。
【００１８】
本明細書において使用される場合、「クラウドコンピューティング」（“ｃｌｏｕｄ  ｃｏｍｐｕｔｉｎｇ”）という用語およびその関連用語、たとえば、「クラウドコンピューティングデバイス」（“ｃｌｏｕｄ  ｃｏｍｐｕｔｉｎｇ  ｄｅｖｉｃｅｓ”）は、複数の異機種環境にあるコンピューティングデバイスをデータ記憶、取り出し、および処理に使用することを可能にするコンピュータアーキテクチャを指す。異機種環境にあるコンピューティングデバイスは、共通のネットワークまたは複数のネットワークを使用することができ、それによって、すべてのコンピューティングデバイスではないが、いくつかのコンピューティングデバイスが共通のネットワークを介して互いにネットワーク通信する。言い換えれば、すべてのコンピューティングデバイス間の通信およびすべてのコンピューティングデバイスの協調を促進するために、複数のネットワークを使用することができる。
【００１９】
本明細書において使用される場合、「モバイルコンピューティングデバイス」（“ｍｏｂｉｌｅ  ｃｏｍｐｕｔｉｎｇ  ｄｅｖｉｃｅ”）という用語は、限定ではなく、スマートフォン、携帯情報端末（「ＰＤＡ」）、コンピュータタブレット、ハイブリット電話／コンピュータタブレット（「ファブレット」）、または、本明細書に記載されているシステム内で機能することが可能な他の同様のモバイルデバイスを含む、携帯して使用されるコンピューティングデバイスのいずれかを指す。いくつかの例において、モバイルコンピューティングデバイスは、限定ではなく、マイクロホン、スピーカ、キーボード、タッチスクリーン、ジャイロスコープ、加速度計、および計測デバイスを含む、様々な周辺機器およびアクセサリを含んでもよい。また、本明細書において使用される場合、「携帯コンピューティングデバイス」および「モバイルコンピューティングデバイス」は交換可能に使用されてもよい。
【００２０】
明細書および特許請求の範囲全体を通じて本明細書において使用されているような近似する文言を適用して、結果として関連する基本機能を変化させることなく許容範囲で変化し得る任意の定量的表現を変更してもよい。したがって、「約」（“ａｂｏｕｔ”）および「実質的に」（“ｓｕｂｓｔａｎｔｉａｌｌｙ”）のような１つまたは複数の用語によって変更された値は、指定される厳密な値に限定されるべきではない。少なくともいくつかの事例において、近似する文言は、その値を測定するための器具の精度に対応してもよい。ここで、および、本明細書および特許請求の範囲全体を通じて、範囲の限定は組み合わせおよび／または交換されてもよく、文脈または文言が別途指示しない限り、そのような範囲は特定され、その中に含まれるすべての部分範囲を含む。
【００２１】
本明細書に記載されているコンピュータ実装システムおよび方法は、物的資産および物理システムを監視するのに使用されてもよい資産監視のための汎用ワイヤレスプラットフォームの作成を促進する。システムおよび方法は、計測検知デバイスから、モバイルコンピューティングデバイスを含むコンピューティングデバイスへの標準インターフェースを提供することによって、汎用ワイヤレスプラットフォームを提供する。標準インターフェースは、様々な計測検知デバイスが資産データをコンピューティングデバイスに送信することを可能にし、それによって、資産データの効率的な処理を促進する。特に、この通信を標準化することによって、汎用ワイヤレスプラットフォームは、物的資産を監視および検査するのに必要とされるリソースおよび投資を大幅に低減することを可能にする。加えて、このプラットフォームは結果として、物的資産の迅速な状態監視および検査を達成する。
【００２２】
本明細書に記載されているコンピュータ実装システムおよび方法はさらに、資産データの収集、検討、および処理において動的ワークフロー処理を促進する。汎用ワイヤレスプラットフォームを使用して、システムおよび方法は、少なくとも１つの資産の物理状態のデータモデルを決定するのに関連する資産データをキャプチャするための応答的資産データ収集を促進する。システムおよび方法はまた、少なくとも１つの資産の物理状態の新たなデータモデルのクラウドベースの処理および決定も促進する。新たなデータモデルおよび収集された資産データはさらに、物的資産のさらなる診断、保守管理、および修復を含む、可能性のある応答的ステップを判定するために、ローカルに、ネットワークにわたって他のコンピューティングデバイスに送信することができる。
【００２３】
図１Ａは、本開示に記載されている、計測検知デバイス（図１Ａには示されていない）を使用することなく、したがって汎用ワイヤレスプラットフォームを使用することなく、現場検査人１１１、１１２、１１３、および１１４によって監視されている物的資産１４０を含む例示的な環境１００を示す。環境１００は、物的資産１４０を監視および検査することの複雑さを示す例示的な図解である。例示的な実施形態において、環境１００は、産業化学物質を処理するのに使用される物的資産１４０を含む化学処理施設である。環境１００は化学処理施設において使用される４列の物的資産１５１、１５２、１５３、および１５４を含むが、本明細書に記載されているシステムおよび方法は、限定ではなく、産業環境、発電および配電環境、製造環境、バイオテクノロジ環境、商業販売環境、商業流通環境、輸送環境、居住環境、および農業環境を含む、任意の数の様々な物的資産１４０を含む任意の環境１００に適用されてもよい。
【００２４】
環境１００は、物的資産１４０を監視している複数の現場検査人１１１、１１２、１１３、および１１４を含む。現場検査人１１１、１１２、１１３、および１１４は、物理的測定を行って物的資産１４０から資産データ（すなわち、主資産データ）を取得するために、複数の測定デバイス１２１、１２２、１２３、および１２４を使用する。より詳細には、現場検査人は、特定のツールを使用している。たとえば、現場検査人１１１は、物的資産列１５１における亀裂の幅を測定するためにノギス１２１を使用している。現場検査人１１２は、物的資産列１５２における容器の圧力レベルを測定するために圧力計を使用している。現場検査人１１３は、物的資産列１５３の容器内の流体の液位を求めるためにレベルゲージ１２３を使用している。現場検査人１１４は、物的資産列１５４の容器の温度を測定するために温度計１２４を使用している。現場検査人は特定のタイプの測定値を取得しているに過ぎないため、現場検査人らは各々、４つすべての物的資産列１５１、１５２、１５３、および１５４から測定値をとる必要がある。各現場検査人はより多くの測定デバイスを有し得るが、各資産測定は手作業で行わなければならない。
【００２５】
現場検査人１１１、１１２、１１３、および１１４はさらに、資産データを記録する。現場検査人１１１および１１２は資産データを記録紙１３１に手作業で記録し、一方で現場検査人１１３および１１４は資産データをモバイルコンピューティングデバイス１３２に電子的に記録する。しかしながら、すべての資産データが記録されると、資産データはまだ、環境１００を適切に監視するために統合されなければならない。資産データは監視サーバ１８０上で統合される。各現場検査人１１１、１１２、１１３、および１１４は、記録紙１３１またはモバイルコンピューティングデバイス１３２に記録された資産データを提供しなければならない。現場検査人１１１および１１２は資産データをレコードに入力するために記録コンピューティングデバイス１８１を使用してもよい。現場検査人１１３および１１４は、資産データを入力するために記録コンピューティングデバイス１８１を使用してもよく、または代替的に、資産データを監視サーバ１８０に直接送信するためにモバイルコンピューティングデバイス１３２を使用してもよい。記録コンピューティングデバイス１８１は、資産データを監視サーバ１８０に送信することができる。
【００２６】
図示されているように、資産データを取得し、資産データを記録紙、資産データを統合するプロセスは、現場検査人１１１、１１２、１１３、および１１４にとって非常に時間がかかる場合がある。下記に説明するように、本明細書に記載されている計測検知デバイスを使用して、さらに、汎用ワイヤレスプラットフォームを使用することによって、物的資産１４０を監視するプロセスを迅速に処理することができる。
【００２７】
図１Ｂは、本開示に記載されている、計測検知デバイス１６１、１６３、１６４、および１６５を使用するが、汎用ワイヤレスプラットフォームは使用することなく、現場検査人１１１、１１２、１１３、および１１４によって監視されている物的資産１４０を含む例示的な環境１００Ａの図である。図１Ａにおけるように、環境１００Ａは、産業化学物質を処理するのに使用される物的資産１４０を含む化学処理施設である。環境１００Ａにおいて、現場検査人１１１、１１２、１１３、および１１４は、資産データを記録するためにモバイルコンピューティングデバイス１３２を利用する。加えて、図１Ａとは異なり、物的資産１４０は、物的資産１４０の各資産に物理的に取り付けられている計測検知デバイス１６１、１６３、１６４、および１６５の少なくとも１つを有する。
【００２８】
環境１００Ａにおいて、計測検知デバイス１６１、１６３、１６４、および１６５は物的資産１４０のうちの１つの物的資産に物理的に結合されているが、すべての計測検知デバイス１６１、１６３、１６４、および１６５が物的資産１４０に物理的に結合されていなくてもよい。少なくとも各計測検知デバイス１６１、１６３、１６４、および１６５のサイズ、可搬性、費用および不足に応じて、計測検知デバイス１６１、１６３、１６４、および１６５は物的資産１４０から取り外し可能および／または携帯可能であってもよい。
【００２９】
計測検知デバイス１６１、１６３、１６４、および１６５は、少なくとも１種類の資産データを取得するように構成されている。たとえば、計測検知デバイス１６１は、ノギスと等価な測定を行うように構成されている検知デバイスである。計測検知デバイス１６３は、圧力測定を行うように構成されている。計測検知デバイス１６３は、ハウジング１６２内に物理的に収容されている。計測検知デバイス１６４は、流体液位測定を行うように構成されている。計測検知デバイス１６５は、圧力読み値を計測するように構成されている。代替的に、計測検知デバイス１６１、１６３、１６４、および１６５は、上述のような任意の種類の資産データを取得してもよい。より詳細には、ノギス測定値、圧力測定値、流体液位測定値、および温度読み値は、各々が物理測定値を含む資産データの形態であるため、主データとして説明されてもよい。対照的に、計測検知デバイス１６１、１６３、１６４、および１６５は、代替的に、処理して主データにすることができる補助データを収集してもよい。
【００３０】
いくつかの実施形態において、計測検知デバイス１６１、１６３、１６４、および１６５は、各計測検知デバイスが資産データを少なくともいくつかのコンピューティングデバイスに送信することを可能にする出力インターフェースを含む。計測検知デバイス１６１、１６３、１６４、および１６５は、たとえば、ユニバーサルシリアルバス（「ＵＳＢ」）、勧告基準２３２（「ＲＳ２３２」）、シリアル周辺インターフェースバス（「ＳＰＩ」）、集積回路間（「Ｉ２Ｃ」）、アナログ、および専用Ｉ／Ｏインターフェースを含むそれらのそれぞれの出力インターフェースを介して資産データを送信するために様々な通信プロトコルを使用してもよい。資産データを取得するために特定の対話方法を必要とする多数の専用Ｉ／Ｏインターフェースが存在する。したがって、モバイルコンピューティングデバイス１３２ならびに計測検知デバイス１６１、１６３、１６４、および１６５が同じ通信プロトコルをサポートする場合、モバイルコンピューティングデバイス１３２は、計測検知デバイス１６１、１６３、１６４、および１６５に対してデータを送受信することができる。したがって、モバイルコンピューティングデバイス１３２はこれらの通信規格の少なくともいくつかを使用してデータを受信することが可能で有り得るが、いくつかの規格は特定のモバイルコンピューティングデバイス１３２によってサポートされていない場合がある。例示的な実施形態において、計測検知デバイス１６１はＵＳＢ入出力インターフェースを使用し、計測検知デバイス１６３はＲＳ２３２入出力インターフェースを使用し、計測検知デバイス１６４は第１の専用入出力インターフェースを使用し、計測検知デバイス１６５は第２の入出力インターフェースを使用する。例示的な実施形態において、モバイルコンピューティングデバイス１３２はＵＳＢおよびＩ２Ｃをサポートする。したがって、現場検査人１１１、１１２、１１３、および１１４は、計測検知デバイス１６１からしかデジタル出力を受信することができない。計測検知デバイス１６３、１６４、および１６５からの他のすべての資産データは、モバイルコンピューティングデバイス１３２に手作業で入力する必要がある。
【００３１】
計測検知デバイス１６１、１６３、１６４、および１６５は、現場検査人１１１、１１２、１１３、および１１４が、環境１００におけるよりも効率的に物的資産１４０を監視および検査することを可能にするが、依然として、資産データを効率的にキャプチャおよび処理することを阻害する制約がある。上述のように、計測検知デバイス１６１、１６３、１６４、および１６５によって採用される通信規格が様々であることによって、各現場検査人１１１、１１２、１１３、および１１４は、少なくともいくつかの計測検知デバイス１６１、１６３、１６４、および１６５について資産データを手作業で入力することを余儀なくされる。加えて、計測検知デバイス１６１、１６３、１６４、および１６５が計測検知デバイス１３２によってサポートされている通信規格を使用する場合、各現場検査人は、ワイヤレス通信プロトコルをサポートしていない任意の計測検知デバイス１６１、１６３、１６４、および１６５に物理的に接続しなければならない。そのような接続は追加の機器（たとえば、ワイヤまたはケーブル）を必要とし、さらに時間がかかる場合がある。また、現場検査人１１１、１１２、１１３、および１１４は、図１Ａに示すように監視サーバ１８０において取得された資産データを統合しなければならない。
【００３２】
図１Ｃは、計測検知デバイス１６１、１６３、１６４、および１６５を使用し、汎用ワイヤレスプラットフォームを使用して、現場検査人１１１、１１２、１１３、および１１４によって監視されている物的資産１４０を含む例示的な環境１００Ｂの図である。環境１００Ｂにおいて、各計測検知デバイスは、計測インターフェースデバイス１７０に結合されている。例示的な実施形態において、計測インターフェースデバイス１７０は、ＵＳＢ、ＲＳ２３２、Ｉ２Ｃ、ＳＰＩ、アナログ、および専用Ｉ／Ｏプロトコルを含む複数の通信プロトコルを使用して資産データを受信することが可能なプリント基板（「ＰＣＢ」）を表す。
【００３３】
各それぞれの通信プロトコルを使用した各計測検知デバイスへの通信は、インターフェースリンク１７２、１７３、１７４、および１７５を必要とする。インターフェースリンク１７２は、計測インターフェースデバイス１７０がＵＳＢプロトコルを使用して計測検知デバイス１６１と通信することを可能にする。インターフェースリンク１７３は、計測インターフェースデバイス１７０がＲＳ２３２プロトコルを使用して計測検知デバイス１６３と通信することを可能にする。インターフェースリンク１７４は、計測インターフェースデバイス１７０が第１の専用入出力プロトコルを使用して計測検知デバイス１６４と通信することを可能にする。インターフェースリンク１７５は、計測インターフェースデバイス１７０が第２の専用入出力プロトコルを使用して計測検知デバイス１６５と通信することを可能にする。
【００３４】
一例において、計測インターフェースデバイス１７０は、計測検知デバイス（たとえば、計測検知デバイス１６１）の外部に結合されている。この例において、計測インターフェースデバイス１７０は、計測インターフェースデバイスを収容するための外枠を含んでもよい。外枠は、たとえば、金属、プラスチック、金属合金、または、ＰＣＢを収容し、計測インターフェースデバイス１７０と計測検知デバイスとの間の対話を促進するのに適した任意の他の材料を含む、任意の材料から作成されてもよい。
【００３５】
第２の例において、計測インターフェースデバイス１７０は、計測インターフェースデバイスおよび計測検知デバイスの両方を収容する外枠（たとえば、計測検知デバイス１６３および計測インターフェースデバイス１７０を収容するハウジング１６２）内に収容される。
【００３６】
計測インターフェースデバイス１７０は、モバイルコンピューティングデバイス１３２と通信するようにさらに構成されている。例示的な実施形態において、計測インターフェースデバイス１７０は、モバイルコンピューティングデバイス１３２と通信するためにＢｌｕｅｔｏｏｔｈ（登録商標）Ｌｏｗ  Ｅｎｅｒｇｙ（「ＢＬＥ」）プロトコルを使用する。ＢＬＥは、Ｂｌｕｅｔｏｏｔｈ  ＳＭＡＲＴ（登録商標）としても公知である。（ＢｌｕｅｔｏｏｔｈおよびＢｌｕｅｔｏｏｔｈ  ＳＭＡＲＴは、ワシントン州カークランド所在のＢｌｕｅｔｏｏｔｈ  Ｓｐｅｃｉａｌ  Ｉｎｔｅｒｅｓｔ  Ｇｒｏｕｐの登録商標である。）ＢＬＥは、Ｂｌｕｅｔｏｏｔｈ（登録商標）に関連付けられる通信距離を維持しながら、消費電力が相対的に低いため、計測インターフェースデバイス１７０が汎用ワイヤレスプラットフォームを生成するのに使用する上で有利なプロトコルである。現場検査人１１１、１１２、１１３、および１１４によって監視されている少なくともいくつかの環境１００Ｂのサイズを所与として、通信距離がより長くなることによって、効率的な現場検査が可能になり得る。加えて、ＢＬＥは様々なモバイルコンピューティングデバイス１３２に一般的にサポートされているワイヤレスプロトコルである。計測インターフェースデバイス１７０を使用して、計測検知デバイス１６１、１６３、１６４、および１６５によって受信される資産データがモバイルコンピューティングデバイス１３２によって受信されることを可能にすることが、実質的に、汎用ワイヤレスプラットフォームを作成することを表している。したがって、計測インターフェースデバイス１７０は、実質的に、物的資産１４０の検査および監視を促進するために汎用ワイヤレスプラットフォームの作成および使用を促進する。
【００３７】
代替的な実施形態において、計測インターフェースデバイス１７０は、たとえば、８０２．１１ｂ、Ｂｌｕｅｔｏｏｔｈ、およびＺｉｇＢｅｅ（登録商標）を含む追加のワイヤレスプロトコルを使用することができる。（ＺｉｇＢｅｅは、カリフォルニア州サンラモン所在のＺｉｇＢｅｅ  Ａｌｌｉａｎｃｅの登録商標である。）代替的に、任意の他の適切なワイヤレスプロトコルが使用されてもよい。追加の実施形態において、計測インターフェースデバイス１７０は、限定ではなく、ＵＳＢ、ＲＳ２３２、Ｉ２Ｃ、ＳＰＩ、アナログ、および専用Ｉ／Ｏプロトコルを含むプロトコルを使用した有線通信も可能にすることができる。
【００３８】
環境１００Ｂは、現場検査人１１１、１１２、１１３、および１１４が、環境１００または１００Ａに示すよりも効率的に資産データを取得することを可能にする。たとえば、各現場検査人は、計測インターフェースデバイス１７０を使用することによってすべての計測検知デバイス１６１、１６３、１６４、および１６５に無線接続することができる。計測インターフェースデバイス１７０は、モバイルコンピューティングデバイス１３２に対して各計測検知デバイスが利用可能であることを示し、資産データを要求および転送することを可能にする。資産データの収集を促進することによって、現場検査人１１１、１１２、１１３、および１１４は、資産データをさらに監視サーバ１８０に転送することができる。例示的な実施形態において、監視サーバ１８０は、ＢＬＥを使用してモバイルコンピューティングデバイスからも資産データを受信する。代替的な実施形態において、監視サーバ１８０は、たとえば、限定ではなく、８０２．１１ｂおよびＺｉｇＢｅｅ（登録商標）を含む任意のワイヤレスまたは有線プロトコルを使用して資産データを受信することができる。
【００３９】
少なくともいくつかの例において、現場検査人１１１、１１２、１１３、および１１４は、少なくとも１つの計測インターフェースデバイス１７０を介して計測検知デバイス１６１、１６３、１６４、および１６５から補助資産データを受信する。上述のように、補助資産データとは、物的資産１４０に関連付けられる物理測定値を直接記述していない資産データを指す。そうではなく、補助資産データは、物的資産１４０に関連付けられる物理測定値を記述する主資産データを求めるために処理され得る。補助資産データを処理して主資産データにするのに使用される方法の例は、限定ではなく、数値計算、数値分析、および複雑なモデリングを含む。処理して主資産データにすることが必要である場合がある資産データのカテゴリの例は、限定ではなく、主資産データとしての化学的モデルを作成するために化学センサからの個別の値が処理され得る化学データ、および、個別の電気信号が処理されて主資産データとしての電気的モデルにされ得る電気的データを含む。
【００４０】
補助資産データを処理するには、相当の計算能力、それゆえ、相当の処理能力を有するプロセッサ（図１Ｃには示されていない）が必要である場合がある。代替的に、補助資産データを処理して主資産データにするには、たとえば、限定ではなく、メモリデバイス（図１Ｃには示されていない）、データベース（図１Ｃには示されていない）、またはネットワーク接続コンピューティングデバイスを含むデータソースから外部データ（たとえば、データモデルまたは過去主資産データ）を受信することが必要である場合がある。したがって、モバイルコンピューティングデバイス１３２のようなコンピューティングデバイスによって補助資産データが処理されて主資産データにされることが効率的であり得る。代替的に、モバイルコンピューティングデバイス１３２は、補助資産データを処理して主資産データにするために補助資産データを別個のコンピューティングデバイス（図１Ｃには示されていない）に転送し、いくつかの例においては、別個のコンピューティングデバイスから処理済み主資産データを受信してもよい。機能的には、計測インターフェースデバイス１７０によって促進される汎用ワイヤレスプラットフォームの適用によって、モバイルコンピューティング１３２を含むコンピューティングデバイスが、計測検知デバイス１６１、１６３、１６４、および１６５と強調して機能することを可能にし、したがって、そのようなコンピューティングデバイスが物的資産１４０に関する主資産データを生成するという点において、コンピューティングデバイスを計測検知デバイス１６１、１６３、１６４、および１６５の一部にする。
【００４１】
図２は、例示的な環境１００Ｂ（図１Ｃに示す）の監視を促進するために、汎用ワイヤレスプラットフォームを作成するのに使用するための例示的な計測インターフェースデバイス１７０のブロック図２００である。計測インターフェースデバイス１７０は実質的に、プリント基板（「ＰＣＢ」）を表す。ブロック図２００は、ＰＣＢの重要な機能構成要素を示すようにレイアウトされているが、ブロック図２００は、計測インターフェースデバイス１７０のすべての構成要素またはそのような構成要素の機能レイアウトの網羅的な図解を提示しているように解釈されるべきではない。計測インターフェースデバイス１７０は代替的に、プリント回路アセンブリ（「ＰＣＡ」）と特徴付けられてもよいことに留意されたい。上述のように、計測インターフェースデバイス１７０は、計測検知デバイス、たとえば、計測検知デバイス１６１（図１Ｃに示す）とモバイルコンピューティングデバイス１３２（図１Ｃに示す）との間の通信を促進する。
【００４２】
例示的な実施形態において、計測インターフェースデバイス１７０は、インターフェースリンク１７２を使用して、計測検知デバイス１６１のような計測検知デバイスと通信する。インターフェースリンク１７２は、計測インターフェースデバイス１７０が、限定ではなく、ＵＳＢ、ＲＳ２３２、Ｉ２Ｃ、ＳＰＩ、アナログ、および専用Ｉ／Ｏプロトコルを含む複数の通信プロトコルを使用して通信することを可能にする。例示的な実施形態において、インターフェースリンク１７２は、ＳＰＩプロトコルを使用して計測検知デバイスに接続する。計測インターフェースデバイス１７０は、計測インターフェースデバイス１７０が、計測検知デバイス１６１のような計測検知デバイスから主資産データおよび補助資産データを含む資産データを含むデータを受信することを可能にする複数の通信モジュールを使用することによって、計測検知デバイスとの通信を促進する。複数の通信モジュールは、ＵＳＢモジュール２１２、ＲＳ２３２モジュール２１３、アナログモジュール２１４、Ｉ２Ｃモジュール２１５、ＳＰＩモジュール２１６、および一般入出力モジュール２１７を含む。
【００４３】
計測検知デバイス１６１のようないくつかの計測検知デバイスは専用または特注の通信プロトコルを利用する。これらの通信プロトコルは、計測検知デバイス１６１または外部規格の供給元に特有のものであってもよい。一般入出力モジュール２１７は、そのような専用または特注の通信プロトコルと対話することを可能にする。一般入出力モジュール２１７は、たとえば、ファームウェアインストールまたは更新を使用して特定の通信プロトコルとインターフェースするようにプログラムされてもよい。
【００４４】
例示的な実施形態において、計測インターフェースデバイス１７０は、プロセッサ２２０およびメモリデバイス２２５をさらに含む。例示的な実施形態において、計測インターフェースデバイス１７０は、単一のプロセッサ２２０および単一のメモリデバイス２２５を含む。代替的な実施形態において、計測インターフェースデバイス１７０は、複数のプロセッサ２２０および／または複数のメモリデバイス２２５を含んでもよい。いくつかの実施形態において、実行可能命令がメモリデバイス２２５内に記憶されている。計測インターフェースデバイス１７０は、プロセッサ２２０をプログラムすることによって、本明細書に記載されている１つまたは複数の動作を実行するように構成可能である。たとえば、プロセッサ２２０は、１つまたは複数の実行可能命令として動作を符号化し、メモリデバイス２２５内の実行可能命令を提供することによってプログラムされてもよい。代替的に、プロセッサ２２０は、補助資産データを処理して主資産データにするのに使用されてもよい。
【００４５】
例示的な実施形態において、メモリデバイス２２５は、実行可能命令および／または他のデータのような情報を記憶し取り出すことを可能にする１つまたは複数のデバイスである。メモリデバイス２２５は、限定ではなく、ランダムアクセスメモリ（ＲＡＭ）、ダイナミックランダムアクセスメモリ（ＤＲＡＭ）、スタティックランダムアクセスメモリ（ＳＲＡＭ）、ソリッドステートディスク、ハードディスク、読み出し専用メモリ（ＲＯＭ）、消去可能プログラマブルＲＯＭ（ＥＰＲＯＭ）、電気的消去可能プログラマブルＲＯＭ（ＥＥＰＲＯＭ）、および／または不揮発性ＲＡＭ（ＮＶＲＡＭ）メモリのような、１つまたは複数の有形持続性コンピュータ可読媒体を含んでもよい。上記のメモリタイプは例示に過ぎず、したがって、コンピュータプログラムを記憶するのに使用可能なメモリのタイプに対する限定ではない。
【００４６】
メモリデバイス２２５は、上述のような資産データを記憶するように構成されてもよい。資産データは、データバックアップを促進し、資産データの複数のサンプルを提供し、較正を促進するために記憶されてもよい。メモリデバイス２２５は、資産データを処理するのに使用されるデータモデルおよび他のデータ構造をさらに記憶してもよい。例示的な実施形態において、計測インターフェースデバイス１７０は、プロセッサ２２０において作動するファームウェアを符号化されている。計測インターフェースデバイスのためのファームウェアは、通信プロトコル、インターフェースプロトコル、暗号化、データフォーマット、および電力管理を管理する。ファームウェアは、無線プログラミングを使用して、または、モバイルコンピューティングデバイス１３２のようなコンピューティングデバイスとの直接のインターフェースを使用して、インストール、更新、または削除されてもよい。
【００４７】
計測インターフェースデバイス１７０は、ＢＬＥモジュール２３０をさらに含む。モジュール２３０は、計測インターフェースデバイス１７０が、Ｂｌｕｅｔｏｏｔｈ  Ｌｏｗ  Ｅｎｅｒｇｙ（登録商標）プロトコルを使用してモバイルコンピューティングデバイス１３２を含むコンピューティングデバイスとワイヤレス通信することを可能にする。例示的な実施形態において、計測インターフェースデバイス１７０は、計測インターフェースデバイス１７０が、限定ではなく、８０２．１１ｂおよびＺｉｇＢｅｅ（登録商標）を含むワイヤレスプロトコルを使用してコンピューティングデバイスとワイヤレス通信することを可能にするワイヤレスモジュール２４０をさらに含む。
【００４８】
計測インターフェースデバイス１７０は、現場検査人１１１（図１Ｂに示す）のようなユーザに対する表示を促進するのに使用することができる発光ダイオード（「ＬＥＤ」）モジュール２５０も含む。ＬＥＤモジュール２５０は、限定ではなく、電力可用性、信号強度、接続ステータス、および資産データ読み値を含む、計測インターフェースデバイス１７０、および、接続されている計測検知デバイス１６１に関連する情報を示すのに使用することができる。
【００４９】
計測インターフェースデバイス１７０は、加速度計２６０をさらに含む。加速度計２６０は、計測インターフェースデバイス１７０の基準系を求めるのに使用されてもよい。基準系は、加速度計２６０によって求められ、モバイルコンピューティングデバイス１３２のようなコンピューティングデバイスに提供されてもよい。基準系データは、資産データとともに、現場検査人１１１のようなユーザに、資産の物理状態に関する追加のデータを提供するのに使用されてもよい。基準系データは、補助資産データを処理して主資産データにするのにも使用されてもよい。基準系データは、付加的に、資産データとしてモバイルコンピューティングデバイス１３２のようなコンピューティングデバイスによって受信されてもよい。代替的に、加速度計２６０は同様に、測度データ、および、加速度計２６０によって生成されてもよい任意の他のデータを求めて提供してもよい。
【００５０】
計測インターフェースデバイス１７０は、限定ではなく、ヒートシンクまたは散熱機構、キャパシタ、トランジスタ、および、必要とされる場合がある任意の他の回路または構成要素（図２には示されていない）を含む、記載されている機能を促進するために必要な任意の標準的な構成要素および周辺機器をさらに含む。
【００５１】
動作時、計測インターフェースデバイス１７０は、インターフェースリンク１７２を使用して、計測検知デバイス１６１のような計測検知デバイスと通信するように構成されている。計測インターフェースデバイス１７０と計測検知デバイス１６１との間の通信は、計測検知デバイス１６１によってサポートされている通信プロトコルに従い、したがって、ＵＳＢモジュール２１２、ＲＳ２３２モジュール２１３、アナログモジュール２１４、Ｉ２Ｃモジュール２１５、ＳＰＩモジュール２１６、および一般入出力モジュール２１７の少なくとも１つによって促進される。計測インターフェースデバイス１７０は、したがって、資産データを含むデータを計測検知デバイスと送受信することができる。資産データを含むデータは、メモリデバイス２２５に記憶されてもよい。
【００５２】
計測インターフェースデバイス１７０は、モバイルコンピューティングデバイス１３２のようなコンピューティングデバイスとも通信する。計測インターフェースデバイス１７０とコンピューティングデバイスとの間の通信は、ＢＬＥモジュール２３０およびワイヤレスモジュール２４０の少なくとも１つによって促進される。プロセッサ２２０は、通信プロトコルを管理し、資産データを処理して補助資産データから主資産データにし、インターフェースプロトコルを管理し、暗号化を管理し、データフォーマットを管理し、電力および他のリソースを管理するための、ファームウェア機能を含む機能を実行する。
【００５３】
代替的な実施形態において、計測インターフェースデバイス１７０は、図２に示す構成要素およびモジュールの任意の組み合わせを含んでもよい。いくつかの実施形態において、計測インターフェースデバイス１７０は、本明細書に記載されているシステムおよび方法を促進するための追加の構成要素およびモジュールを含んでもよい。
【００５４】
図３Ａは、計測インターフェースデバイス１７０（図２に示す）を含み、汎用ワイヤレスプラットフォームを作成するのに使用される例示的なフォブデバイス３００の図である。フォブデバイス３００は、計測インターフェースデバイス１７０を表すＰＣＢを収容するハウジング３０５を含む。したがって、計測インターフェースデバイス１７０は図３Ａでは見えていない。フォブデバイス３００は、計測検知デバイス１６１（図１Ｃに示す）のような計測検知デバイスと通信するのに使用されるインターフェースリンク１７２を含む。例示的な実施形態において、フォブデバイス３００は、圧力検知デバイスと通信し、資産データを受信する。フォブデバイス３００は、資産データ３２５を表示することが可能なディスプレイ３２０も含む。例示的な実施形態において、ディスプレイ３２０は液晶ディスプレイ（「ＬＣＤ」）である。代替的な実施形態において、ディスプレイ３２０は、資産データ３２５を表現することが可能な任意のディスプレイを含んでもよい。代替的に、ディスプレイ３２０は、限定ではなく、電力可用性、信号強度、および接続ステータスを含む、計測インターフェースデバイス１７０、および、接続されている計測検知デバイス１６１に関連する任意の情報を表示してもよい。
【００５５】
フォブデバイス３００は、制御インターフェース３３０も含む。例示的な実施形態において、制御インターフェース３３０は、フォブデバイス３００を制御することが可能な複数のボタンを含む。制御インターフェース３３０は、限定ではなく、電源投入および停止、通信管理、再始動、および資産データ３２５の較正を含む機能を実行することができる。フォブデバイス３００は、限定ではなく、通信リンクステータスおよび電力ステータスを含む、フォブデバイス３００に関連する情報を提供することが可能なＬＥＤディスプレイ３３５をさらに含む。
【００５６】
図３Ｂは、汎用ワイヤレスプラットフォームを作成するのに使用される計測インターフェースデバイス１７０（図２に示す）を含む例示的なハイブリッドデバイス３００Ａの図である。ハイブリッドデバイス３００Ａは、インターフェースリンク１７２を使用して計測インターフェースデバイス１７０と通信する計測検知デバイス３５０を含む。言い換えれば、ハイブリッドデバイス３００Ａは、共有ハウジング３０５Ａ内に計測検知デバイス３５０および計測インターフェースデバイス１７０を含む。フォブデバイス３００におけるように、ハイブリッドデバイス３００Ａは、資産データ３２５を表示するように構成されているディスプレイ３２０をさらに含む。ハイブリッドデバイス３００Ａは、ハイブリッドデバイス３００Ａを制御するのに使用される制御装置３３０も含む。ハイブリッドデバイス３００Ａは、限定ではなく、通信リンクステータスおよび電力ステータスを含む、ハイブリッドデバイス３００Ａに関連する情報を提供することが可能であるＬＥＤディスプレイ３３５をさらに含む。
【００５７】
したがって、ハイブリッドデバイス３００Ａは、特定の計測検知デバイス３５０が、ＢＬＥのようなワイヤレスプロトコルを使用してモバイルコンピューティングデバイス（図１Ｂに示す）と常に通信することが可能であると仮定することによって、値を提供することができる。ハイブリッドデバイス３００Ａは計測検知デバイス３５０および計測インターフェースデバイス１７０の両方を含み、ハイブリッドデバイス３００Ａはそれらが互いに通信するように構成されているため、追加の構成は必要ない。
【００５８】
図４は、汎用ワイヤレスプラットフォームを通じて計測インターフェースデバイス１７０（図２に示す）と対話することによって、物的資産１４０（図１Ｃに示す）を監視するのに使用することができるコンピューティングデバイス４００のブロック図である。コンピューティングデバイス４００は、ラップトップ、デスクトップ、ワークステーション、携帯情報端末、サーバ、ブレードサーバ、メインフレーム、および他の適切なコンピュータのような、様々な形態のデジタルコンピュータを表す。コンピューティングデバイス４００は、携帯情報端末、携帯電話、スマートフォン、および他の同様のコンピューティングデバイスのような、様々な形態のモバイルデバイスを表すようにも意図されている。ここに示す構成要素、それらの接続および関係、ならびにそれらの機能は、霊であるようにのみ意図されており、本明細書に記載され、かつ／または特許請求されている主題の実施態様を限定するようには意図されていない。
【００５９】
例示的な実施形態において、コンピューティングデバイス４００は、ユーザモバイルコンピューティングデバイス１３２、または、監視サーバ１８０および記録コンピューティングデバイス１８１（図１Ｃに示す）のいずれかであり得る。コンピューティングデバイス４００は、バス４０２と、プロセッサ４０４と、メインメモリ４０６と、読み出し専用メモリ（ＲＯＭ）４０８と、記憶デバイス４１０と、入力デバイス４１２と、出力デバイス４１４と、通信インターフェース４１６とを含んでもよい。バス４０２は、コンピューティングデバイス４００の構成要素間での通信を可能にする経路を含んでもよい。
【００６０】
プロセッサ４０４は、命令を解釈および実行する任意のタイプの従来のプロセッサ、マイクロプロセッサ、または処理論理を含んでもよい。プロセッサ４０４は、高速インターフェースに結合されているディスプレイ４１４のような外部入出力デバイス上のＧＵＩのためのグラフィック情報を表示するための、メモリ４０６内または記憶デバイス４１０上に記憶されている命令を含む命令を、コンピューティングデバイス４００内で実行するために処理することができる。他の実施態様において、複数のプロセッサおよび／または複数のバスが、必要に応じて、複数のメモリおよびメモリタイプとともに使用されてもよい。また、複数のコンピューティングデバイス４００が接続されてもよく、ここで、各デバイスは必要な動作の部分を（たとえば、サーババンク、ブレードサーバのグループ、またはマルチプロセッサシステムとして）提供する。いくつかの例示的な実施形態において、複数のコンピューティングデバイス４００が、物的資産１４０（図１Ｃに示す）の現場検査に関連する情報を受信、処理、および通信するのに使用される。
【００６１】
メインメモリ４０６は、ランダムアクセスメモリ（ＲＡＭ）、または、情報および命令を、プロセッサ４０４によって実行するために記憶する別のタイプの動的記憶デバイスを含んでもよい。ＲＯＭ４０８は、従来のＲＯＭデバイス、または、情報および命令を、プロセッサ４０４によって使用するために記憶する別のタイプの性的記憶デバイスを含んでもよい。メインメモリ４０６は、コンピューティングデバイス４００内の情報を記憶する。一実施態様において、メインメモリ４０６は１つまたは複数の揮発性記憶装置である。別の実施態様において、メインメモリ４０６は１つまたは複数の不揮発性記憶装置である。メインメモリ４０６は、磁気または光ディスクのような、別の形態のコンピュータ可読媒体でもあってもよい。
【００６２】
記憶デバイス４１０は、磁気および／または光学記録媒体およびその対応するドライブを含んでもよい。記憶デバイス４１０は、コンピューティングデバイス４００に大容量記憶を提供することが可能である。一実施態様において、記憶デバイス４１０は、フロッピー(登録商標）ディスクデバイス、ハードディスクデバイス、光ディスクデバイス、もしくはテープデバイス、フラッシュメモリもしくは他の同様のソリッドステートメモリデバイス、または、ストレージエリアネットワークもしくは他の構成にあるデバイスを含むデバイスアレイのような、コンピュータ可読媒体であってもよく、またはそれを含んでもよい。コンピュータプログラム製品が、情報担体内で有形に具現化され得る。コンピュータプログラム製品はまた、実行されると、上述したもののような１つまたは複数の方法を実行する命令を含んでもよい。情報担体は、メインメモリ４０６、ＲＯＭ４０８、記憶デバイス４１０、またはプロセッサ４０４上のメモリのようなコンピュータまたは機械可読媒体である。
【００６３】
高速コントローラは、コンピューティングデバイス４００の帯域幅集約的な動作を管理し、一方、低速コントローラは、それほど帯域幅集約的でない動作を管理する。そのような機能の割り当ては例示を目的としているに過ぎない。一実施態様において、高速コントローラは、メインメモリ４０６、ディスプレイ４１４に（たとえば、グラフィックスプロセッサまたはアクセラレータを通じて）、および、様々な拡張カード（図示せず）を受け入れることができる高速拡張ポートに結合されている。この実施態様において、低速コントローラは、記憶デバイス４１０および低速拡張ポートに結合されている。様々な通信ポート（たとえば、ＵＳＢ、Ｂｌｕｅｔｏｏｔｈ(登録商標）、Ｅｔｈｅｒｎｅｔ(登録商標）、ワイヤレスＥｔｈｅｒｎｅｔ(登録商標））を含んでもよい低速拡張ポートは、キーボード、ポインティングデバイス、スキャナ、または、たとえば、ネットワークアダプタを通じてスイッチもしくはルータのようなネットワーク接続デバイスのような１つまたは複数の入出力デバイスに結合されてもよい。
【００６４】
入力デバイス４１２は、視覚、音響、タッチ、ボタン押下、スタイラスタップなどを含む、現場検査人１１１、１１２、１１３、および１１４（図１Ｂに示す）のようなユーザからのコマンド、命令、または他の入力をコンピューティングデバイス４００が受信することを可能にする従来の機構を含んでもよい。加えて、入力デバイスは、位置情報を受信してもよい。したがって、入力デバイス４１２は、たとえば、カメラ、マイクロホン、１つまたは複数のボタン、タッチスクリーン、および／またはＧＰＳ受信機を含んでもよい。出力デバイス４１４は、ディスプレイ（タッチスクリーンを含む）および／またはスピーカを含む、ユーザに情報を出力する従来の機構を含んでもよい。通信インターフェース４１６は、コンピューティングデバイス４００が他のデバイスおよび／またはシステムと通信することを可能にする、任意の送受信機のような機構を含んでもよい。たとえば、通信インターフェース４１６は、ネットワークを介して別のデバイスまたはシステムと通信するための機構を含んでもよい。
【００６５】
本明細書に記載されているように、コンピューティングデバイス４００は、計測検知デバイスから計測インターフェースデバイスを介して資産データを取得するために、汎用ワイヤレスプラットフォームの使用を促進する。コンピューティングデバイス４００はさらに、動的ワークフロー処理、および、それによって、資産データの収集、検討、および処理を促進する。コンピューティングデバイス４００は、プロセッサ４０４がメモリ４０６のようなコンピュータ可読媒体内に収容されているソフトウェア命令を実行するのに応答して、これらのおよび他の動作を実行してもよい。コンピュータ可読媒体は、物理または論理メモリデバイスおよび／または搬送波として定義されてもよい。ソフトウェア命令は、データ記憶デバイス４１０のような別のコンピュータ可読媒体から、または、通信インターフェース４１６を介して別のデバイスからメモリ４０６内へと読み出されてもよい。メモリ４０６内に収容されているソフトウェア命令は、プロセッサ４０４に、本明細書に記載されているプロセスを実行させてもよい。代替的に、本明細書における主題と一致するプロセスを実施するために、ソフトウェア命令の代わりにまたはソフトウェア命令と組み合わせて配線回路が使用されてもよい。したがって、本明細書に開示されている主題の原理と一致した実施態様は、ハードウェア回路およびソフトウェアのいかなる特定の組み合わせにも限定されない。
【００６６】
コンピューティングデバイス４００は、図面に示すようないくつかの異なる形態で実装されてもよい。たとえば、コンピューティングデバイスは標準的なサーバとして、またはそのようなサーバのグループにおいて複数回実装されてもよい。コンピューティングデバイスは、ラックサーバシステムの一部分としても実装されてもよい加えて、コンピューティングデバイスは、ラップトップコンピュータのようなパーソナルコンピュータにおいて実装されてもよい。そのようなデバイスの各々は、１つまたは複数のコンピューティングデバイス４００を含んでもよく、システム全体が、互いと通信する複数のコンピューティングデバイス４００から構成されてもよい。
【００６７】
プロセッサ４０４は、メインメモリ４０６内に記憶されている命令を含む、コンピューティングデバイス４００内の命令を実行することができる。プロセッサは、別個のおよび複数のアナログおよびデジタルプロセッサを含むチップとして実装されてもよい。プロセッサは、たとえば、ユーザインターフェース、コンピューティングデバイス４００によって実行されるアプリケーション、およびコンピューティングデバイス４００によるワイヤレス通信の制御のような、コンピューティングデバイス４００の他の構成要素の協調を可能にしてもよい。
【００６８】
コンピューティングデバイス４００は、プロセッサ４０４、メインメモリ４０６、ＲＯＭ４０８、入力デバイス４１２、ディスプレイ４１４のような出力デバイス、たとえば、受信機および送受信機を含む他の構成要素間の通信インターフェース４１６を含む。コンピューティングデバイス４００にはまた、追加のストレージを提供するための、マイクロドライブまたは他のデバイスのような記憶デバイス４１０が設けられてもよい。構成要素の各々は様々なバスを使用して相互接続され、構成要素のいくつかは、共通のマザーボード上に、または必要に応じて他の様式で搭載されてもよい。
【００６９】
コンピューティングデバイス４００は、必要な場合はデジタル信号処理回路を含んでもよい通信インターフェース４１６を通じてワイヤレス通信してもよい。例示的な実施形態において、通信インターフェース４１６は、Ｂｌｕｅｔｏｏｔｈ（登録商標）Ｌｏｗ  Ｅｎｅｒｇｙ（「ＢＬＥ」）またはＢｌｕｅｔｏｏｔｈ  ＳＭＡＲＴ（登録商標）を使用した通信を可能にする。通信インターフェース４１６は、中でも、８０２．１１ｂ、ＺｉｇＢｅｅ（登録商標）、ＧＳＭ(登録商標）音声電話、ＳＭＳ、ＥＭＳ、またはＭＭＳメッセージング、ＣＤＭＡ、ＴＤＭＡ、ＰＤＣ、ＷＣＤＭＡ（登録商標）、ＣＤＭＡ２０００、またはＧＰＲＳのような様々なモードまたはプロトコルの下での通信をも可能にしてもよい。そのような通信は、たとえば、無線周波数送受信機によって行われてもよい。加えて、Ｂｌｕｅｔｏｏｔｈ（登録商標）、ＷｉＦｉ、または他のそのような送受信機（図示せず）を使用するなどの短距離通信が行われてもよい。加えて、ＧＰＳ（全地球測位システム）受信機モジュールが、追加のナビゲーションおよび位置関連ワイヤレスデータをコンピューティングデバイス４００に提供してもよく、これは、必要に応じて、コンピューティングデバイス４００上で作動しているアプリケーションによって使用されてもよい。
【００７０】
図５は、汎用ワイヤレスプラットフォーム、より詳細には計測インターフェースデバイス１７０を使用して計測検知デバイス５４０と対話する、モバイルコンピューティングデバイス１３２によって実装されるシステム５００の例示的なプロセスフローである。図５は、汎用ワイヤレスプラットフォームを使用した計測検知デバイス５４０、計測インターフェースデバイス１７０、およびモバイルコンピューティングデバイス１３２の間の対話を説明するための、システム５００における汎用ワイヤレスプラットフォームの使用の簡略化されたモデルを示す。１人のユーザ５１０、１つのモバイルコンピューティングデバイス１３２、１つの物的資産５３０、１つの計測検知デバイス５４０、１つのインターフェースリンク１７２、および１つの計測インターフェースデバイス１７０のみが示されているが、汎用ワイヤレスプラットフォームは任意の数の各構成要素を促進することができる。下記に説明するように、追加の構成要素が導入されると変化してもよいことに留意されたい。
【００７１】
例示的な実施形態において、システム５００は、資産監視および検査タスクを行うためにモバイルコンピューティングデバイス１３２を使用している、現場検査人１１１（図１Ｃに示す）のようなユーザ５１０を含む。システム５００は、計測検知デバイス５４０によって測定される物的資産５３０も含む。例示的な実施形態において、物的資産５３０は圧力容器であり、計測検知デバイス５４０は圧力計である。他の実施形態において、物的資産５３０は任意の種類の物的資産であってもよく、計測検知デバイス５４０は、物的資産５３０に関する資産データを収集し、インターフェースリンク１７２を介して計測インターフェースデバイス１７０と対話することが可能な任意のセンサまたはデバイスであってもよい。システム５００も、インターフェースリンク１７２を介して計測検知デバイス５４０と通信する計測インターフェースデバイス１７０を含む。例示的な実施形態において、計測インターフェースデバイス１７０は、Ｉ２Ｃプロトコルを使用して計測検知デバイス５４０と通信するフォブデバイス３００（図３Ａに示す）である。他の実施形態において、計測インターフェースデバイス１７０は、ハイブリッドデバイス３００Ａ（図３Ｂに示す）内に収容され、任意の通信プロトコルを使用して計測検知デバイス５４０と通信してもよい。
【００７２】
動作時、計測インターフェースデバイス１７０は、ワイヤレスプロトコルを使用した接続の可用性を広告する（５７２）。例示的な実施形態において、計測インターフェースデバイス１７０は、Ｂｌｕｅｔｏｏｔｈ（登録商標）Ｌｏｗ  Ｅｎｅｒｇｙの使用の可用性を広告する（５７２）ために、ＢＬＥモジュール２３０（図２に示す）を使用する。本明細書において使用される場合、「広告する」（“ａｄｖｅｒｔｉｓｉｎｇ”）とは、計測インターフェースデバイス１７０のようなデバイスによる、デバイスが接続および通信に利用可能であることを示す実質的に永続的な通信を指す。いくつかの例において、計測インターフェースデバイス１７０は、プライベートモードにおいて広告してもよい。プライベートモードによって、計測インターフェースデバイス１７０に対する既存の識別情報を有するコンピューティングデバイス１３２のみが、計測インターフェースデバイス１７０の広告された（５７２）可用性を検出することが可能になる。
【００７３】
ユーザ５１０は、モバイルコンピューティングデバイス１３２に、計測インターフェースデバイス１７０の可用性についてスキャン（５７４）するよう要求する。スキャン５７４によって、計測インターフェースデバイス１７０によって広告（５７２）されているすべての利用可能な資産５７３が検出される。したがって、利用可能な資産５７３は、可用性を広告している計測インターフェースデバイス１７０を指す。利用可能な資産５７３は、識別された利用可能な資産５７５として、モバイルコンピューティングデバイス１３２に報告し戻される。少なくともいくつかの例において、スキャン５７４によって、モバイルコンピューティングデバイス１３２の特定の物理的距離内のみの利用可能な資産５７３が検出される。いくつかの追加の例において、物理的距離は、モバイルコンピューティングデバイス１３２と計測インターフェースデバイス１７０との間の信号の強度によって決定されてもよい。したがって、特定の計測インターフェースデバイス１７０が可用性を広告している場合があるが、物理的に離れていること、物理的な障害物があること、および／または信号強度が弱いことによって、モバイルコンピューティングデバイス１３２が可用性を識別する（５７５）ことが可能でない場合がある。
【００７４】
ユーザ５１０は、モバイルコンピューティングデバイス１３２上ですべての識別された利用可能な資産５７５を見て、接続するために特定の識別された利用可能な資産５７５を選択することができる。選択すると、モバイルコンピューティングデバイス１３２は、計測インターフェースデバイス１７０との接続を要求する（５７６）。接続を要求する（５７６）には、暗号化、セキュリティキー、および許可を使用することが必要になり得る。そのような方策によって、計測インターフェースデバイス１７０によって収集される資産データを含むデータの安全性を高めることが可能になる。そのような許可、暗号化、およびセキュリティキーの使用および満足に成功した場合、モバイルコンピューティングデバイス１３２および計測インターフェースデバイスは、接続を確立する（５７７）。例示的な実施形態において、接続が確立されて（５７７）生成される接続は、「アクティブな」（“ａｃｔｉｖｅ”）接続である。例示的な実施形態において、アクティブな接続は、本明細書において使用される場合、モバイルコンピューティングデバイス１３２が、資産データを含むデータを、計測インターフェースデバイス１７０と送受信することを可能にする。さらに、例示的な実施形態において、アクティブな接続は排他的な接続であり、これは、他のモバイルコンピューティングデバイス１３２が計測インターフェースデバイス１７０に同時にアクセスすることができないことを意味する。排他的であることによって、ユーザ５１０によって冗長なデータが収集されることが減り、計測インターフェースデバイス１７０が不必要に使用されることが減る。計測インターフェースデバイス１７０が不必要に使用されることが減ることによって、計測インターフェースデバイス１７０における電力の節約が実質的に促進される。排他的でアクティブな接続は、計測インターフェースデバイス１７０が１つのモバイルコンピューティングデバイス１３２のみに接続することができることを意味することに留意されたい。しかしながら、モバイルコンピューティングデバイス１３２は、複数の計測インターフェースデバイス１７０に接続することができる。他の実施形態において、計測インターフェースデバイス１７０は、アクティブな接続において非排他的な接続を有してもよい。
【００７５】
いくつかの例において、接続を確立すること（５７７）によって形成される接続は、「休眠」（“ｄｏｒｍａｎｔ”）接続であってもよい。休眠接続は、計測インターフェースデバイス１７０とモバイルコンピューティングデバイス１３２との間で通信が行われていない間にアクティブな接続の排他性を維持することができる。モバイルコンピューティングデバイス１３２および／または計測インターフェースデバイス１７０の１つが、接続状態に変化が起こったと判定した場合、休眠接続が確立され得る。接続状態の変化は、信号強度が信号強度閾値を下回ること、計測インターフェースデバイス１７０とモバイルコンピューティングデバイス１３２との間の通信頻度が通信間隔閾値を下回ること、計測インターフェースデバイス１７０とモバイルコンピューティングデバイス１３２との間の経過期間が総接続制限時間を超えること、および、計測インターフェースデバイス１７０の残りの電池寿命が電池寿命閾値を下回って低減することによって示されてもよい。代替的に、接続状態が変化することによって、接続が解放されてもよい。接続が解放されることによって、アクティブな接続が終了し、結果として、アクティブな接続が再生されることなく、計測インターフェースデバイス１７０とモバイルコンピューティングデバイス１３２との間のいかなる通信も妨げられる。また、接続が解放されることによって、計測インターフェースデバイス１７０が可用性の広告５７２を開始することになる。
【００７６】
接続が確立されると（５７７）、モバイルコンピューティングデバイス１３２は付加的に、計測インターフェースデバイス１７０と通信する（５７８）ことができる。通信５７８は、資産データを含むデータを送受信することを表す。言い換えれば、接続が確立されると（５７７）、モバイルコンピューティングデバイス１３２は、計測検知デバイス５４０によって検出され、インターフェースリンク１７２を使用して計測インターフェースデバイス１７０に送信されたものとしての、物的資産５３０の物理状態に対応する資産データを受信することができる。通信５７８は、命令を計測インターフェースデバイス１７０に送ることも表す。たとえば、例示的な実施形態において、モバイルコンピューティングデバイス１３２を見ているユーザ５１０が、計測インターフェースデバイス１７０から送信された資産データに異常が見られると判定することができる。ユーザ５１０は、モバイルコンピューティングデバイス１３２に、較正プロセスがプロセッサ２２０（図２に示す）上で実行されるようにする較正要求を計測インターフェースデバイス１７０に送信するよう要求することができる。
【００７７】
モバイルコンピューティングデバイス１３２は、システム５００を促進するように設計されているソフトウェアを含む。多くの公知のタイプのモバイルコンピューティングデバイス１３２が存在し、多くの公知のタイプのオペレーティングシステム、物理ハードウェア、および関連構成に関連付けられる。システム５００を促進するように設計されているソフトウェアは、複数のタイプのモバイルコンピューティングデバイス１３２上で、ならびに、複数の関連オペレーティングシステムおよびハードウェアタイプにわたって展開することができる柔軟なアーキテクチャによって設計されている。したがって、計測インターフェースデバイス１７０は実質的に、汎用ワイヤレスプラットフォームを可能にし、複数のタイプの計測検知デバイス５４０がモバイルコンピューティングデバイス１３２を含むコンピューティングデバイスにデータを送信することを可能にするため、システム５００に関連付けられるソフトウェア設計は実質的に、複数のタイプのモバイルコンピューティングデバイス１３２が汎用ワイヤレスプラットフォームと対話することを可能にする。加えて、システム５００を促進するソフトウェアは同様に、任意のコンピューティングデバイス４００（図４に示す）をサポートしてもよい。
【００７８】
図６は、効率的な資産データ収集、資産監視、および資産検査を促進するために、汎用ワイヤレスプラットフォーム、より詳細には計測インターフェースデバイス１７０を使用して計測検知デバイス６４０と対話する、モバイルコンピューティングデバイス１３２によって実装されるシステム６００の例示的なプロセスフローである。
【００７９】
図５におけるように、図６は、物的資産６３０を検査および監視するためにモバイルコンピューティングデバイス１３２を使用しているユーザ、すなわち現場検査人６１０を含む。物的資産６３０は、計測検知デバイス６４０によって監視される。例示的な実施形態において、物的資産６３０は圧力容器６３０であり、計測検知デバイス６４０は圧力計である。他の実施形態において、物的資産６３０は任意の種類の物的資産であってもよく、計測検知デバイス６４０は、物的資産６３０に関する資産データを収集し、インターフェースリンク１７２を介して計測インターフェースデバイス１７０と対話することが可能な任意のセンサまたはデバイスであってもよい。
【００８０】
システム６００は、モバイルコンピューティングデバイス１３２とネットワーク通信している複数のコンピューティングデバイスをも含む。例示的な実施形態において、コンピューティングデバイスは、タブレット６２１、ラップトップ６２２、およびサーバ６２３を含む。コンピューティングデバイス６２１、６２２、および６２３は、クラウドリソース６９０として機能し、結果として、モバイルコンピューティングデバイス１３２に対する補助処理リソースとして機能することができる。コンピューティングデバイス６２１、６２２、および６２３を含むクラウドリソース６９０はモバイルコンピューティングデバイス１３２にデータを提供することもできる。コンピューティングデバイス６２１、６２２、および６２３を含むクラウドリソース６９０は、一般コンピューティングデバイス４００（図４に示す）の例である。コンピューティングデバイス６２１、６２２、および６２３は、それぞれユーザ６１１、６１２、および６１３に関連付けられる。ユーザ６１１、６１２、および６１３は、記載されている処理および分析を促進するために使用されてもよい。加えて、コンピューティングデバイス６２１、６２２、および６２３においてユーザ６１１、６１２、および６１３のようなユーザから受信される入力が、処理および分析を促進するために使用されてもよい。言い換えれば、処理および分析は実質的に、実質的にユーザ６１１、６１２、および６１３のようなユーザからの専門ユーザデータを組み込んでもよい。代替的に、処理および分析は、コンピューティングデバイス６２１、６２２、および６２３を使用して発見的アルゴリズムを適用してもよい。
【００８１】
図５におけるように、システム６００を促進するように設計されているソフトウェアが同様に、モバイルコンピューティングデバイス１３２を含む複数のタイプのコンピューティングデバイス向けに設計されている。したがって、ソフトウェアは、複数のモバイルコンピューティングデバイス１３２の複数のオペレーティングシステムおよびハードウェアアーキテクチャとの対話を促進する。加えて、システム６００を促進するソフトウェアは同様に、任意のコンピューティングデバイス４００（図４に示す）をサポートしてもよい。
【００８２】
動作時、モバイルコンピューティングデバイス１３２は、計測インターフェースデバイス１７０との確立された接続５７７（図５に示す）を有し、通信する（５７８）ことが可能である（図５に示す）。モバイルコンピューティングデバイス１３２は、計測データセットを要求し（６７３）、または資産データセット６７４を要求する。資産データセット６７４は、計測検知デバイス６４０によって測定され、インターフェースリンク１７２を使用して計測インターフェースデバイス１７０に送信された少なくとも１つの資産データを表す。資産データセット６７４は、ワイヤレスプロトコルを使用して計測インターフェースデバイス１７０によってモバイルコンピューティングデバイス１３２に送られる。資産データセット６７４は、主資産データ（すなわち、物的資産６３０の物理的特性を表す資産データ）または補助資産データ（すなわち、処理して主資産データにすることができる資産データ）を表してもよい。例示的な実施形態において、物的資産６３０は圧力容器であり、計測検知デバイス６４０は圧力センサである。したがって、資産データセット６７４は、圧力容器６３０に関連付けられる複数の圧力読み値を記述する。
【００８３】
クラウドリソース６９０（コンピューティングデバイス６２１、６２２、および６２３を含む）および／またはモバイルコンピューティングデバイス１３２は付加的に、メモリデバイス４０６（図４に示す）のようなメモリデバイスに資産モデル６７５を記憶する。資産モデル６７５は、履歴として利用可能な資産データに基づいて物的資産６３０の状態を反映する。言い換えれば、資産モデル６７５は、現在受信されている資産データセット６７４を考慮することなく、物的資産６３０の状態を表す。資産モデル６７５は、予測される状態、それゆえ、物的資産６３０の経過年数、使用状況、および状態を含む要因に基づく物的資産６３０に関連付けられる予測される資産データを記述する。したがって、物的資産６３０の検査および監視は、資産データセット６７４と資産モデル６７５との間で比較することを含む。例示的な実施形態において、資産モデル６７５は、圧力容器６３０の予測される状態、および、資産データセット６７４内で計測検知デバイス６４０から受信されることが期待される予測圧力読み値を記述する。
【００８４】
資産データセット６７４は、資産モデル６７５を用いて処理されて、特性６７６を求めるための処理済み資産データセットにされる。この処理ステップは、モバイルコンピューティングデバイス１３２および／またはクラウドリソース６９０を使用して、資産データセット６７４を処理して補助資産データから主資産データにすることをさらに含んでもよい。さらに、クラウドリソース６９０の可用性、および、モバイルコンピューティングデバイス１３２の処理能力に応じて、モバイルコンピューティングデバイス１３２は、特性６７６をローカルに（すなわち、モバイルコンピューティングデバイス１３２を使用して）求めるか、または、クラウドリソース６９０が特性６７６を処理するよう要求するかのいずれかを行う。特性６７６は実質的に、資産データセット６７４が資産モデル６７５によって予測されるか否かの判定、または、代替的に、資産データセット６７４が資産モデル６７５と資産データセット６７４との間に相違があることを示すか否かの判定を表す。例示的な実施形態において、特性６７６を求めることは、資産モデル６７５に基づく圧力容器６３０の予測圧力読み値を、資産データセット６７４内で計測検知デバイス６４０から受信される実際の圧力読み値と比較することを表す。相違がある場合、これは、資産データセット６７４が不正確であるか、または、資産モデル６７５が不正確であることを示唆し得る。したがって、異常が存在することを判定するために、追加の読み値が有用であり得る。代替的に、相違がない場合、これは、資産モデル６７５が正確であり、現場検査人６１０が圧力容器６３０を検査し続けなくてもよいことを示唆し得る。より複雑な例において、資産モデル６７５と資産データセット６７４との間のそのような迅速な調整によって、現場検査が実質的により効率的になり得る。特性６７６に相違が存在するとき、現場検査人６１０は、資産データセット６７４として追加の読み値を計測し、資産モデル６７５を効率的に更新または置換することができる。代替的に、特性６７６に相違が存在しないと判定されるとき、現場検査人６１０は、記載されているシステムおよび方法を使用しない場合に可能であるよりも早い時点において現場検査を行うことによって、時間およびリソースの消費を低減することができる。
【００８５】
資産データセット６７４が資産モデル６７５によって予測されることを特性６７６が示す場合、モバイルコンピューティングデバイス１３２はレポート６７８を生成する。レポート６７８は、限定ではなく、モバイルコンピューティングデバイス１３２、クラウドリソース６９０、現場検査人６１０およびユーザ６１１、６１２、６１３を含む少なくとも１人の報告受信者に送信されることになる。レポート６７８は、限定ではなく、電子メール、ＳＭＳ、データベース更新、ファイル転送、および物理的ファイルの物理的な送達を含む任意の適切なプロトコルを使用して送信されてもよい。
【００８６】
資産データセット６７４が資産モデル６７５によって予測されないことを特性６７６が示す場合、モバイルコンピューティングデバイス６７３は代替的に、資産モデル６７５を再較正もしくは更新するか、または、再び資産データセット６７４を要求する（６７３）。例示的な実施形態において、資産データセット６７４からの圧力読み値が資産モデル６７５と一致しないとき、より多くの読み値が要求され得る。少なくともいくつかの例において、資産モデル６７５が実際に不正確であるか否かを確認することが重要であり得る。たとえば、過渡的状態または一貫性のない計測検知デバイス６４０によって、資産データセット６７４が短期間にわたる特性６７６の相違を生成することになる場合がある。したがって、検査によっては、資産データセット６７４に資産モデル６７５との相違があることを複数回確認する必要がある場合がある。相違が十分に確認されると、資産モデル６７５が更新されてもよい。しかしながら、他の例において、資産モデル６７５は相違が判定されたときに直ちに更新されてもよい。たとえば、資産データセット６７４が単純であり信頼性があることが分かっている場合（たとえば、新しい計測検知デバイス６４０の幅の物理測定値）、読み値を複数回計測することは非効率的であり得、新たな資産データセット６７４を要求することなく資産モデル６７５を更新してもよい。
【００８７】
資産モデル６７５を更新することは、新たな資産モデルを求めるために少なくとも１つの資産データセット６７４および資産モデル６７５を処理することを意味する。少なくともいくつかの資産モデル６７５を更新するのに必要とされ得る計算複雑度を所与として、クラウドリソース６９０が、そのような更新に利用されてもよい。
【００８８】
図６に示すワークフローの間、現場検査人６１０は、たとえば、ユーザ６１１、６１２、および６１３を含む人間のユーザ、および、たとえば、クラウドリソース６９０に関連付けられるデータソースからの追加の外部入力を探してもよい。したがって、ソフトウェアシステムは、限定ではなく、メッセージングおよびチャットソフトウェアを含む、現場検査人６１０とユーザ６１１、６１２、および６１３との間の対話を促進するツールを提供する。同様に、ソフトウェアシステムは、クラウドリソース６９０への問い合わせを促進するツールを提供する。
【００８９】
図７は、汎用ワイヤレスプラットフォームを使用して計測インターフェースデバイス１７０（図５に示す）と通信するモバイルコンピューティングデバイス１３２（図５に示す）によって実施される例示的な方法７００である。
【００９０】
モバイルコンピューティングデバイス１３２は、利用可能な計測インターフェースデバイス１７０についてスキャンする（７１０）。スキャン７１０は、実質的に、モバイルコンピューティングデバイス１３２が、Ｂｌｕｅｔｏｏｔｈ（登録商標）Ｌｏｗ  Ｅｎｅｒｇｙを含むワイヤレスプロトコルを使用して、利用可能な資産５７３として可用性を広告しており（５７２）、したがって識別される利用可能な資産５７５（図５に示す）である計測インターフェースデバイス１７０を識別することを表す。
【００９１】
モバイルコンピューティングデバイス１３２は、利用可能な計測インターフェースデバイスの少なくとも１つに接続要求を送信する（７２０）。送信７２０は、実質的に、モバイルコンピューティングデバイス１３２が、少なくとも１つの計測インターフェースデバイス１７０に接続を要求すること５７６（図５に示す）を表す。
【００９２】
モバイルコンピューティングデバイス１３２は、少なくとも１つの利用可能な計測インターフェースデバイスとのアクティブな接続を形成する（７３０）。アクティブな接続を形成すること７３０は、モバイルコンピューティングデバイスが、識別された利用可能な資産５７５との接続を要求すること５７６（図５に示す）、および、接続を確立すること５７７を表す。
【００９３】
モバイルコンピューティングデバイス１３２は、少なくとも１つの接続している計測インターフェースデバイスと通信する（７４０）。通信７４０は、モバイルコンピューティングデバイス１３２が、接続が確立された（５７７）後に計測インターフェースデバイス１７０と通信することを表す。
【００９４】
図８は、汎用ワイヤレスプラットフォームを使用して計測インターフェースデバイス１７０および複数のクラウドベースのリソース６９０（すべて図６に示す）と通信するモバイルコンピューティングデバイス１３２によって実施される例示的な方法８００である。
【００９５】
モバイルコンピューティングデバイス１３２は最初に、計測インターフェースデバイスから計測データセットを受信する（８１０）。受信８１０は、モバイルコンピューティングデバイス１３２が、資産データセットを要求した（６７３）（両方とも図６に示す）後に資産データセット６７４を受信することを表す。資産データセット６７４は、計測検知デバイス６４０（図６に示す）によって検出され、計測インターフェースデバイス１７０に送信された資産データを含む。
【００９６】
モバイルコンピューティングデバイス１３２は、計測データセットおよび資産モデルを処理して処理済み計測データセットにする。処理８２０は、モバイルコンピューティングデバイス１３２が、モバイルコンピューティングに関連付けられるメモリデバイス４０６（図４に示す）およびクラウドベースのリソース６９０に関連付けられるメモリデバイス４０６の少なくとも１つから資産モデル６７５（図６に示す）を要求し、予測される資産データセットを資産データセット６７４と比較することを表す。少なくともいくつかの実施形態において、モバイルコンピューティングデバイス１３２は、資産データセット６７４および資産モデル６７５を処理する（８２０）ためにクラウドベースのリソース６９０を使用する。
【００９７】
処理８２０の結果として、処理済みデータセットにおいて不一致、または計測相違が判定され得る。そのような計測相違が判定されると、モバイルコンピューティングデバイス１３２は、資産モデルを再較正し（８３０）、計測インターフェースデバイスから計測データセットを受信する（８１０）。言い換えれば、計測相違が判定されるとき、資産モデル６７５が調整されてもよく、再構成された資産モデル６７５を確認するために新たな資産データセット６７４が要求および受信される。
【００９８】
計測相違がないと判定されると、コンピューティングデバイス１３２は、計測データセットおよび資産モデルを少なくとも１人の報告受信者に報告する（８４０）。報告８４０は、限定ではなく、モバイルコンピューティングデバイス１３２、クラウドリソース６９０、現場検査人６１０およびユーザ６１１、６１２、６１３（すべて図６に示す）を含む少なくとも１人の報告受信者にレポート６７８を送信することを表す。
【００９９】
図９は、図５および図６に示す環境において使用されてもよい１つまたは複数の例示的なコンピューティングデバイスの構成要素の図である。
【０１００】
たとえば、コンピューティングデバイス４００の１つまたは複数は、資産データセット６７４および資産モデル６７５（図６に示す）を送信および処理するのに使用されてもよい。コンピューティングデバイス４００は、モバイルコンピューティングデバイス１３２（図５および図６に示す）およびクラウドリソース６９０（図６に示す）を含んでもよい。図９は、任意のコンピューティングデバイス４００と通信してもよいデータベース９２０の構成をさらに示す。データベース９２０は、コンピューティングデバイス４００内のいくつかの別個の構成要素に結合されており、特定のタスクを実行する情報を含む。
【０１０１】
コンピューティングデバイス４００は、利用可能な計測インターフェースデバイス１７０（図２に示す）についてのスキャン７１０（図７に示す）のためのスキャン構成要素９０２を含む。コンピューティングデバイス４００は、利用可能な計測インターフェースデバイスの少なくとも１つに対する接続要求の送信７２０（図７に示す）のための送信構成要素９０３をさらに含む。コンピューティングデバイス４００は、少なくとも１つの利用可能な計測インターフェースデバイスとのアクティブな接続の形成７３０（図７に示す）のための形成構成要素９０４をも含む。コンピューティングデバイス４００は、少なくとも１つの接続している計測インターフェースデバイスとの通信７４０（図７に示す）のための通信構成要素９０５をさらに含む。コンピューティングデバイス４００は、計測インターフェースデバイスからの計測データセットの受信８１０（図８に示す）のための受信構成要素９０６をさらに含む。コンピューティングデバイス４００は、計測データセットおよび資産モデルを処理済み計測データセットにする処理８２０（図８に示す）のための処理構成要素９０７をも含む。コンピューティングデバイス４００は、資産モデルの再較正８３０（図８に示す）のための再較正構成要素９０８をさらに含む。コンピューティングデバイス４００はその上、限定ではなく、モバイルコンピューティングデバイス１３２、クラウドリソース６９０、現場検査人６１０およびユーザ６１１、６１２、６１３（すべて図６に示す）を含む少なくとも１人の報告受信者へのレポート６７８（図６に示す）の報告８４０（図８に示す）のための報告構成要素９０９を含む。
【０１０２】
例示的な実施形態において、データベース９２０は、限定ではないが、データモデリング区画９１０、アルゴリズム区画９１２、ヒューリスティクス区画９１４、通信プロトコルおよび管理区画９１６、およびアプリケーション区画９１８を含む、複数の区画に分割される。データベース９２０内のこれらの区画は、要求により情報を更新し取り出すために相互接続されている。データモデリング区画９１０は、データモデルを含んでもよい。アルゴリズム区画９１２は、資産データを処理および分析するためのアルゴリズムを含んでもよい。ヒューリスティクス９１４は、資産データに関連する問題を解決するためのプログラムおよび機能を含んでもよい。通信およびプロトコル管理区画９１６は、汎用ワイヤレスプラットフォームを介した通信に関する情報およびポリシを含んでもよい。アプリケーション区画９１８は、記載されているシステムおよび方法を促進するためのアプリケーションならびにアプリケーションの配布およびバージョンに関連する情報を含んでもよい。
【０１０３】
上述のコンピュータ実装システムおよび方法は、汎用ワイヤレスプラットフォームを使用して物的資産を検査および監視するための効率的な手法を提供する。システムおよび方法は、複数の計測検知デバイスからデータを受信し、複数のコンピューティングデバイスにデータを送信することが可能な計測インターフェースデバイスを提供することによって、そのような効率をもたらす。本明細書に記載されている実施形態はまた、タイミングが不適切な、または、調整不足の決定に関連する通信および物流費用を低減する。特に、上述のデータを効率的に収集することによって、データ収集に費やす努力が限られたものになり、計測検知デバイスとの物理的対話が最小限に抑えられる。それゆえ、そのような手法なしに生じる場合がある問題が最小限に抑えられる。また、本明細書に記載されている方法およびシステムは、監視および検査タスクにおけるリソースの利用を増大させる。特に、そのような調整されたクラウドベースの手法をとることによって、リソース利用が向上される。さらに、本明細書に記載されている方法およびシステムは、調製された活動を向上させることを通じて、資本および人材リソース消費を改善する。
【０１０４】
本明細書に記載されている方法およびコンピュータ実装システムの例示的な技術的効果は、（ａ）物的資産の現場検査の増大、（ｂ）資産データを分析する測度の向上、および（ｃ）物的資産を診断および保守管理する応答時間の改善の少なくとも１つを含む。
【０１０５】
検査および監視に使用するために汎用ワイヤレスプラットフォームを促進するための例示的な実施形態が、上記で詳細に説明された。コンピュータ実装システムおよびそのようなシステムを動作させる方法は、本明細書に記載されている特定の実施形態には限定されず、むしろ、システムの構成要素および／または方法のステップは、本明細書に記載されている他の構成要素および／またはステップから独立して別個に利用されてもよい。たとえば、方法は、他の企業システムおよび方法と組み合わせても使用されてもよく、本明細書に記載されているものとしての検査および監視機能のみによる実践には限定されない。むしろ、例示的な実施形態は、多くの他の企業アプリケーションとともに実装および利用することができる。
【０１０６】
本発明の様々な実施形態の特定の特徴部は、いくつかの図面に図示され、他の図面には図示されていない場合があるが、これは便宜上のことにすぎない。本発明の原理によれば、図面の任意の特徴部は、任意の他の図面の任意の特徴部と組み合わせて参照および／または特許請求されている場合がある。
【０１０７】
本明細書書面は、最良の形態を含む本発明を開示し、また当業者が、任意のデバイスまたはシステムを作成および使用することと、任意の組み込まれている方法を実行することとを含め、本発明を実践することを可能にするための例を使用している。本発明の特許可能な範囲は、特許可能な範囲によって定義され、当業者に想起される他の例を含んでもよい。そのような他の例は、それらが特許請求の範囲の文言と異ならない構造的要素を有する場合、または、それらが特許請求の範囲の文言とわずかな差しかない均等な構造的要素を含む場合、特許請求項の範囲内にあるように意図される。
【符号の説明】
【０１０８】
１００  環境
１１１  現場検査人
１１２  現場検査人
１１３  現場検査人
１１４  現場検査人
１２０  データベース
１２１  測定デバイス
１２２  測定デバイス
１２３  測定デバイス
１２４  測定デバイス
１３１  記録紙
１３２  モバイルコンピューティングデバイス
１４０  物的資産
１５１  物的資産列
１５２  物的資産列
１５３  物的資産列
１５４  物的資産列
１６１  計測検知デバイス
１６２  ハウジング
１６３  計測検知デバイス
１６４  計測検知デバイス
１６５  計測検知デバイス
１７０  計測インターフェースデバイス
１７２  インターフェースリンク
１７３  インターフェースリンク
１７３  インターフェースリンク
１７４  インターフェースリンク
１７５  インターフェースリンク
１８０  監視サーバ
１８１  記録コンピューティングデバイス
２００  ブロック図
２１２  ＵＳＢモジュール
２１３  ＲＳ２３２モジュール
２１４  アナログモジュール
２１５  Ｉ２Ｃモジュール
２１６  ＳＰＩモジュール
２１７  入出力モジュール
２２０  プロセッサ
２２５  メモリデバイス
２３０  ＢＬＥモジュール
２４０  ワイヤレスモジュール
２５０  ＬＥＤモジュール
２６０  加速度計
３００  フォブデバイス
３０５  ハウジング
３２０  ディスプレイ
３２５  資産データ
３３０  制御インターフェース
３３５  ＬＥＤディスプレイ
３５０  計測検知デバイス
４００  コンピューティングデバイス
４０２  バス
４０４  プロセッサ
４０６  メインメモリ
４０８  ＲＯＭ
４１０  記憶デバイス
４１２  入力デバイス
４１４  出力デバイス
４１６  通信インターフェース
５００  システム
５１０  ユーザ
５３０  物的資産
５４０  計測検知デバイス
５７２  可用性を広告する
５７３  利用可能な資産
５７４  スキャン
５７５  識別された利用可能な資産
５７６  接続を要求する
５７７  接続を確立する
５７８  通信
６００  システム
６１０  現場検査人
６１１  ユーザ
６１２  ユーザ
６１３  ユーザ
６２１  コンピューティングデバイス
６２２  コンピューティングデバイス
６２３  コンピューティングデバイス
６３０  物的資産
６４０  計測検知デバイス
６７３  要求
６７４  資産データセット
６７５  資産モデル
６７６  特性
６７８  レポート
６９０  クラウドリソース
７００  方法
７１０  スキャン
７２０  送信
７３０  形成
７４０  通信
８１０  受信
８２０  処理
８３０  再較正
８４０  報告
９０２  スキャン構成要素
９０３  送信構成要素
９０４  形成構成要素
９０５  通信構成要素
９０６  受信構成要素
９０７  処理構成要素
９０８  再較正構成要素
９０９  報告構成要素
９１０  データモデリング区画
９１２  アルゴリズム区画
９１４  ヒューリスティクス
９１６  プロトコルおよび管理区画
９１８  アプリケーション区画
９２０  データベース
【図１Ａ】
2015076098.tif 000003
【図１Ｂ】
2015076098.tif 000004
【図１Ｃ】
2015076098.tif 000005
【図２】
2015076098.tif 000006
【図３Ａ】
2015076098.tif 000007
【図３Ｂ】
2015076098.tif 000008
【図４】
2015076098.tif 000009
【図５】
2015076098.tif 000010
【図６】
2015076098.tif 000011
【図７】
2015076098.tif 000012
【図８】
2015076098.tif 000013
【図９】
2015076098.tif 000014